(57)【要約】【課題】限られた情報伝送容量を解決することに加えて、情報の繰り返し送信を回避し、システムリソースを節約する。【解決手段】情報伝送方法および装置を提供し、本方法は、基地局により、第1の伝送リソースを決定するステップと、第1の伝送リソースを用いて第1の情報を送信するステップと、少なくとも1つの第2の伝送リソースを決定するステップと、第2の伝送リソースを用いて第2の情報をUEに送信するステップとを含み、第1の情報は、システム情報またはシステム情報をスケジューリングするための制御情報のうちの少なくとも1つを含み、第2の情報は、ページングメッセージ、ランダムアクセス応答メッセージ、競合解決メッセージ、ページングメッセージをスケジュールするための制御情報、ランダムアクセス応答メッセージをスケジュールするための制御情報、または競合解決メッセージをスケジュールするための制御情報のうちの少なくとも1つを含む。【選択図】図９
2019186957.tif 000002
【特許請求の範囲】
【請求項１】
第1の伝送リソースを決定するように構成された処理モジュールと、
前記第1の伝送リソースを用いて第1の情報を送信するように構成された送信モジュールであって、前記第1の情報が、システム情報、またはシステム情報をスケジューリングするための制御情報のうちの少なくとも1つを含む、送信モジュールと
を備え、
前記処理モジュールは、少なくとも1つの第2の伝送リソースを決定するようにさらに構成され、
前記送信モジュールは、前記第2の伝送リソースを用いて第2の情報をユーザ機器UEに送信するようにさらに構成され、前記第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む、基地局。
【請求項２】
前記第1の伝送リソースが第1の周波数リソースを含み、前記第2の伝送リソースが第2の周波数リソースを含む、請求項1に記載の基地局。
【請求項３】
前記第1の周波数リソースが第1のキャリアであり、前記第2の周波数リソースが第2のキャリアであり、前記第1のキャリアおよび前記第2のキャリアは、周波数が異なるキャリアであるか、または、
前記第1の周波数リソースが第3のキャリア上の第1のサブバンドリソースであり、前記第2の周波数リソースが前記第3のキャリア上の第2のサブバンドリソースであり、前記第1のサブバンドリソースおよび前記第2のサブバンドリソースは、周波数が異なるサブバンドリソースである、請求項2に記載の基地局。
【請求項４】
前記処理モジュールは、システムパラメータに従って前記第1の伝送リソースを決定するか、または予め設定された情報に従って前記第1の伝送リソースを決定するようにさらに構成され、前記システムパラメータは、システム無線フレーム番号、サブフレーム番号、システム帯域幅、前記第1の伝送リソースの構成情報、周波数ホッピングパターン、前記システム情報の伝送周期、前記システム情報の伝送時間リソース情報、またはリソーススケジューリング粒度のうちの1つ以上を含む、請求項1から3のいずれか一項に記載の基地局。
【請求項５】
前記送信モジュールは、
同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記第1の伝送リソースの構成情報を搬送して、前記第1の伝送リソースの前記構成情報を前記UEに送信するようにさらに構成され、および／または、
同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソース情報を搬送して、前記第1の伝送リソース情報を前記UEに送信するようにさらに構成され、前記第1の伝送リソース情報は、前記第1の伝送リソースを示すために使用される、請求項1から4のいずれか一項に記載の基地局。
【請求項６】
前記処理モジュールは、
予め設定された情報に従って、前記少なくとも1つの第2の伝送リソースを決定するか、または、
システムパラメータ、前記第2の伝送リソースの構成情報、UE特定パラメータ、またはUEグループ特定パラメータのうちの1つ以上に従って、前記少なくとも1つの第2の伝送リソースを決定するか、または、
前記UEに伝送された第3の情報の伝送リソース情報に従って、前記少なくとも1つの第2の伝送リソースを決定するようにさらに構成され、前記第3の情報は、前記UEに伝送されたユニキャストデータ、ユニキャストデータをスケジューリングするために使用され、かつ前記UEに伝送された制御情報、前記UEに伝送された応答フィードバック情報、または前記UEに伝送されたUEパイロット情報のうちの1つ以上である、請求項1から5のいずれか一項に記載の基地局。
【請求項７】
前記処理モジュールは、前記UEに伝送された前記第3の情報の前記伝送リソース情報に従って前記少なくとも1つの第2の伝送リソースを決定し、かつ前記処理モジュールは、前記UEに前記第3の情報を伝送するための伝送リソース上で前記UEに前記第2の情報を伝送することを決定するようにさらに構成される、請求項6に記載の基地局。
【請求項８】
前記送信モジュールは、
同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記第2の伝送リソースの構成情報を搬送して、前記第2の伝送リソースの前記構成情報を前記UEに送信するようにさらに構成され、および／または、
同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソース情報を搬送して、前記第2の伝送リソース情報を前記UEに送信するようにさらに構成され、前記第2の伝送リソース情報は、前記第2の伝送リソースを示すために使用される、請求項1から7のいずれか一項に記載の基地局。
【請求項９】
前記送信モジュールは、リソース識別情報を前記UEに送信するようにさらに構成され、前記リソース識別情報は、前記第2の伝送リソースが前記第1の伝送リソースと同一であること、または前記第2の伝送リソースが前記第2の伝送リソース情報に従って決定されることを前記UEに通知するために使用される、請求項8に記載の基地局。
【請求項１０】
前記送信モジュールは、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて前記リソース識別情報を搬送して、前記リソース識別情報を前記UEに送信するようにさらに構成される、請求項9に記載の基地局。
【請求項１１】
ユーザ機器であって、
第1の伝送リソースを決定するように構成された処理モジュールと、
基地局によって送信された第1の情報を前記第1の伝送リソースを用いて受信するように構成された受信モジュールであって、前記第1の情報が、システム情報、またはシステム情報をスケジューリングするための制御情報のうちの少なくとも1つを含む、受信モジュールと
を備え、
前記処理モジュールは、第2の伝送リソースを決定するようにさらに構成され、
前記受信モジュールは、前記基地局によって送信された第2の情報を前記第2の伝送リソースを用いて受信するようにさらに構成され、前記第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む、ユーザ機器。
【請求項１２】
前記第1の伝送リソースが第1の周波数リソースを含み、前記第2の伝送リソースが第2の周波数リソースを含む、請求項11に記載のユーザ機器。
【請求項１３】
前記第1の周波数リソースが第1のキャリアであり、前記第2の周波数リソースが第2のキャリアであり、前記第1のキャリアおよび前記第2のキャリアは、周波数が異なるキャリアであるか、または、
前記第1の周波数リソースが第3のキャリア上の第1のサブバンドリソースであり、前記第2の周波数リソースが前記第3のキャリア上の第2のサブバンドリソースであり、前記第1のサブバンドリソースおよび前記第2のサブバンドリソースは、周波数が異なるサブバンドリソースである、請求項12に記載のユーザ機器。
【請求項１４】
前記処理モジュールは、システムパラメータに従って前記第1の伝送リソースを決定するか、または予め設定された情報に従って前記第1の伝送リソースを決定するようにさらに構成され、前記システムパラメータは、システム無線フレーム番号、サブフレーム番号、システム帯域幅、前記第1の伝送リソースの構成情報、周波数ホッピングパターン、前記システム情報の伝送周期、前記システム情報の伝送時間リソース情報、またはリソーススケジューリング粒度のうちの1つ以上を含む、請求項11から13のいずれか一項に記載のユーザ機器。
【請求項１５】
前記受信モジュールは、
前記第1の伝送リソースの構成情報であり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記基地局によって搬送された前記構成情報を受信するようにさらに構成され、および／または、
同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記基地局によって搬送された第1の伝送リソース情報を受信するようにさらに構成され、前記第1の伝送リソース情報は、前記第1の伝送リソースを示すために使用される、請求項11から14のいずれか一項に記載のユーザ機器。
【請求項１６】
前記処理モジュールは、
予め設定された情報に従って、前記第2の伝送リソースを決定するか、または、
システムパラメータ、前記第2の伝送リソースの構成情報、UE特定パラメータ、またはUEグループ特定パラメータのうちの1つ以上に従って、前記第2の伝送リソースを決定するか、または、
前記UEに伝送された第3の情報の伝送リソース情報に従って、前記第2の伝送リソースを決定するようにさらに構成され、前記第3の情報は、前記UEに伝送されたユニキャストデータ、ユニキャストデータをスケジューリングするために使用され、かつ前記UEに伝送された制御情報、前記UEに伝送された応答フィードバック情報、または前記UEに伝送されたUEパイロット情報のうちの1つ以上である、請求項11から15のいずれか一項に記載のユーザ機器。
【請求項１７】
前記処理モジュールは、前記UEに伝送された前記第3の情報の前記伝送リソース情報に従って前記第2の伝送リソースを決定し、かつ前記処理モジュールは、前記UEに前記第3の情報を伝送するための伝送リソース上で前記第2の情報を受信することを決定するようにさらに構成される、請求項16に記載のユーザ機器。
【請求項１８】
前記受信モジュールは、
前記第2の伝送リソースの構成情報であり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記基地局によって搬送された前記構成情報を受信するようにさらに構成され、および／または、
同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記基地局によって搬送された第2の伝送リソース情報を受信するようにさらに構成され、前記第2の伝送リソース情報は、前記第2の伝送リソースを示すために使用される、請求項11から17のいずれか一項に記載のユーザ機器。
【請求項１９】
前記受信モジュールは、前記基地局によって送信されたリソース識別情報を受信するようにさらに構成され、前記リソース識別情報は、前記第2の伝送リソースが前記第1の伝送リソースと同一であること、または前記第2の伝送リソースが前記第2の伝送リソース情報に従って決定されることを前記UEに通知するために使用される、請求項18に記載のユーザ機器。
【請求項２０】
前記受信モジュールは、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて前記基地局によって搬送された前記リソース識別情報を受信するようにさらに構成される、請求項19に記載のユーザ機器。
【請求項２１】
情報伝送方法であって、
基地局により、第1の伝送リソースを決定するステップと、
前記基地局により、前記第1の伝送リソースを用いて第1の情報を送信するステップであって、前記第1の情報が、システム情報、またはシステム情報をスケジューリングするための制御情報のうちの少なくとも1つを含む、ステップと、
前記基地局により、少なくとも1つの第2の伝送リソースを決定するステップと、
前記基地局により、前記第2の伝送リソースを用いて第2の情報をユーザ機器UEに送信するステップであって、前記第2の情報が、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む、ステップと
を有する方法。
【請求項２２】
前記第1の伝送リソースが第1の周波数リソースを含み、前記第2の伝送リソースが第2の周波数リソースを含む、請求項21に記載の方法。
【請求項２３】
前記第1の周波数リソースが第1のキャリアであり、前記第2の周波数リソースが第2のキャリアであり、前記第1のキャリアおよび前記第2のキャリアは、周波数が異なるキャリアであるか、または、
前記第1の周波数リソースが第3のキャリア上の第1のサブバンドリソースであり、前記第2の周波数リソースが前記第3のキャリア上の第2のサブバンドリソースであり、前記第1のサブバンドリソースおよび前記第2のサブバンドリソースは、周波数が異なるサブバンドリソースである、請求項22に記載の方法。
【請求項２４】
基地局により、第1の伝送リソースを決定する前記ステップは、
前記基地局により、システムパラメータに従って前記第1の伝送リソースを決定するステップであって、前記システムパラメータが、システム無線フレーム番号、サブフレーム番号、システム帯域幅、前記第1の伝送リソースの構成情報、周波数ホッピングパターン、前記システム情報の伝送周期、前記システム情報の伝送時間リソース情報、またはリソーススケジューリング粒度のうちの1つ以上を含む、ステップ、または、
前記基地局により、予め設定された情報に従って前記第1の伝送リソースを決定するステップ
を含む、請求項21から23のいずれか一項に記載の方法。
【請求項２５】
前記基地局により、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記第1の伝送リソースの構成情報を搬送して、前記第1の伝送リソースの前記構成情報を前記UEに送信するステップ、および／または、
前記基地局により、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソース情報を搬送して、前記第1の伝送リソース情報を前記UEに送信するステップであって、前記第1の伝送リソース情報が、前記第1の伝送リソースを示すために使用される、ステップ
をさらに有する、請求項21から24のいずれか一項に記載の方法。
【請求項２６】
前記基地局により、少なくとも1つの第2の伝送リソースを決定する前記ステップは、
前記基地局により、予め設定された情報に従って、前記少なくとも1つの第2の伝送リソースを決定するステップ、または、
前記基地局により、システムパラメータ、前記第2の伝送リソースの構成情報、UE特定パラメータ、またはUEグループ特定パラメータのうちの1つ以上に従って、前記少なくとも1つの第2の伝送リソースを決定するステップ、または、
前記基地局により、前記UEに伝送された第3の情報の伝送リソース情報に従って、前記少なくとも1つの第2の伝送リソースを決定するステップであって、前記第3の情報が、前記UEに伝送されたユニキャストデータ、ユニキャストデータをスケジューリングするために使用され、かつ前記UEに伝送された制御情報、前記UEに伝送された応答フィードバック情報、または前記UEに伝送されたUEパイロット情報のうちの1つ以上である、ステップ
を含む、請求項21から25のいずれか一項に記載の方法。
【請求項２７】
前記基地局により、前記UEに伝送された第3の情報の伝送リソース情報に従って、前記少なくとも1つの第2の伝送リソースを決定する前記ステップは、
前記基地局により、前記UEに前記第3の情報を伝送するための伝送リソース上で前記UEに前記第2の情報を伝送することを決定するステップをさらに含む、請求項26に記載の方法。
【請求項２８】
前記基地局により、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記第2の伝送リソースの構成情報を搬送して、前記第2の伝送リソースの前記構成情報を前記UEに送信するステップ、および／または、
前記基地局により、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソース情報を搬送して、前記第2の伝送リソース情報を前記UEに送信するステップであって、前記第2の伝送リソース情報が、前記第2の伝送リソースを示すために使用される、ステップ
をさらに有する、請求項21から27のいずれか一項に記載の方法。
【請求項２９】
前記基地局により、リソース識別情報を前記UEに送信するステップであって、前記リソース識別情報は、前記第2の伝送リソースが前記第1の伝送リソースと同一であること、または前記第2の伝送リソースが前記第2の伝送リソース情報に従って決定されることを前記UEに通知するために使用される、ステップをさらに有する、請求項28に記載の方法。
【請求項３０】
前記基地局により、リソース識別情報を前記UEに送信する前記ステップは、
前記基地局により、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて前記リソース識別情報を搬送して、前記リソース識別情報を前記UEに送信するステップを含む、請求項29に記載の方法。
【請求項３１】
情報伝送方法であって、
ユーザ機器UEにより、第1の伝送リソースを決定するステップと、
前記UEにより、基地局によって送信された第1の情報を前記第1の伝送リソースを用いて受信するステップであって、前記第1の情報が、システム情報、またはシステム情報をスケジューリングするための制御情報のうちの少なくとも1つを含む、ステップと、
前記UEにより、第2の伝送リソースを決定するステップと、
前記UEにより、前記基地局によって送信された第2の情報を前記第2の伝送リソースを用いて受信するステップであって、前記第2の情報が、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む、ステップと
を有する方法。
【請求項３２】
前記第1の伝送リソースが第1の周波数リソースを含み、前記第2の伝送リソースが第2の周波数リソースを含む、請求項31に記載の方法。
【請求項３３】
前記第1の周波数リソースが第1のキャリアであり、前記第2の周波数リソースが第2のキャリアであり、前記第1のキャリアおよび前記第2のキャリアは、周波数が異なるキャリアであるか、または、
前記第1の周波数リソースが第3のキャリア上の第1のサブバンドリソースであり、前記第2の周波数リソースが前記第3のキャリア上の第2のサブバンドリソースであり、前記第1のサブバンドリソースおよび前記第2のサブバンドリソースは、周波数が異なるサブバンドリソースである、請求項32に記載の方法。
【請求項３４】
ユーザ機器UEにより、第1の伝送リソースを決定する前記ステップは、
前記UEにより、システムパラメータに従って前記第1の伝送リソースを決定するステップであって、前記システムパラメータが、システム無線フレーム番号、サブフレーム番号、システム帯域幅、前記第1の伝送リソースの構成情報、周波数ホッピングパターン、前記システム情報の伝送周期、前記システム情報の伝送時間リソース情報、またはリソーススケジューリング粒度のうちの1つ以上を含む、ステップ、または、
前記UEにより、予め設定された情報に従って前記第1の伝送リソースを決定するステップ
を含む、請求項31から33のいずれか一項に記載の方法。
【請求項３５】
前記UEにより、前記第1の伝送リソースの構成情報であり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記基地局によって搬送された前記構成情報を受信するステップ、および／または、
前記UEにより、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記基地局によって搬送された第1の伝送リソース情報を受信するステップであって、前記第1の伝送リソース情報が、前記第1の伝送リソースを示すために使用される、ステップ
をさらに有する、請求項31から34のいずれか一項に記載の方法。
【請求項３６】
前記UEにより、第2の伝送リソースを決定する前記ステップは、
前記UEにより、予め設定された情報に従って、前記第2の伝送リソースを決定するステップ、または、
前記UEにより、システムパラメータ、前記第2の伝送リソースの構成情報、UE特定パラメータ、またはUEグループ特定パラメータのうちの1つ以上に従って、前記第2の伝送リソースを決定するステップ、または、
前記UEにより、前記UEに伝送された第3の情報の伝送リソース情報に従って、前記第2の伝送リソースを決定するステップであって、前記第3の情報が、前記UEに伝送されたユニキャストデータ、ユニキャストデータをスケジューリングするために使用され、かつ前記UEに伝送された制御情報、前記UEに伝送された応答フィードバック情報、または前記UEに伝送されたUEパイロット情報のうちの1つ以上である、ステップ
を含む、請求項31から35のいずれか一項に記載の方法。
【請求項３７】
前記UEにより、前記UEに伝送された第3の情報の伝送リソース情報に従って、前記第2の伝送リソースを決定する前記ステップは、
前記UEにより、前記UEに前記第3の情報を伝送するための伝送リソース上で前記第2の情報を受信することを決定するステップをさらに含む、請求項36に記載の方法。
【請求項３８】
前記UEにより、前記第2の伝送リソースの構成情報であり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記基地局によって搬送された前記構成情報を受信するステップ、および／または、
前記UEにより、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて前記基地局によって搬送された第2の伝送リソース情報を受信するステップであって、前記第2の伝送リソース情報が、前記第2の伝送リソースを示すために使用される、ステップ
をさらに有する、請求項31から37のいずれか一項に記載の方法。
【請求項３９】
前記UEにより、前記基地局によって送信されたリソース識別情報を受信するステップであって、前記リソース識別情報は、前記第2の伝送リソースが前記第1の伝送リソースと同一であること、または前記第2の伝送リソースが前記第2の伝送リソース情報に従って決定されることを前記UEに通知するために使用される、ステップをさらに有する、請求項38に記載の方法。
【請求項４０】
前記UEにより、前記基地局によって送信されたリソース識別情報を受信する前記ステップは、
前記UEにより、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて前記基地局によって搬送された前記リソース識別情報を受信するステップを含む、請求項39に記載の方法。
【発明の詳細な説明】
【技術分野】
【０００１】
本発明の実施形態は、無線通信技術の分野に関し、特に、情報伝送方法および装置に関する。
【背景技術】
【０００２】
無線通信では、基地局はシステム情報をUEに送信する必要がある。UEは、基地局にアクセスして基地局と通信するために、システム情報を受信した後にのみ、関連するネットワーク構成情報を取得することができる。
【０００３】
基地局によってUEに送信されるシステム情報は、システム情報ブロック（System Information Block、SIB）および／またはマスタ情報ブロック（Master Information Block、MIB）などのシステム情報を含む。システム情報は、基地局によってカバレージエリア内の全てのUEにブロードキャストされる情報である。基地局は、ページング（paging）情報、ランダムアクセス応答（Random Access Response、RAR）メッセージ、競合解決メッセージなどの情報をUEにさらに送信する。この情報の特徴は以下のとおりである。情報は、基地局によってUEにブロードキャストされるが、基地局はUEのグループに同じ情報を送信することができ、また基地局はUEの複数のグループに異なる情報を送信することができる。また、基地局は、システム情報をスケジューリングするための制御情報、RARメッセージをスケジューリングするための制御情報、ページングメッセージをスケジューリングするための制御情報、または競合解決メッセージをスケジューリングするための制御情報をUEにさらに送信する必要がある。
【０００４】
現在、マシンツーマシン（Machine-to-Machine、M2M）技術の開発に伴い、ネットワークには低複雑性または低コストの複数のUEが存在する。低複雑性または低コストのUEは、システムに規定された最大キャリア帯域幅未満、または特定の周波数帯域幅以下の（無線周波数および／またはベースバンド）帯域幅をサポートする。低複雑性または低コストのUEが、低複雑性または低コストのUEによってサポートされる帯域幅よりも帯域幅が大きいキャリア上でサービスされる場合、UEは、キャリアの1つのサブバンドリソースのみで同時にデータを受信または送信することができる。基地局が、システム情報、RARメッセージ、ページングメッセージ、または競合解決メッセージ（または、システム情報、RARメッセージ、ページングメッセージ、もしくは競合解決メッセージなどの情報をスケジューリングするための制御情報）などの情報をキャリアの1つのサブバンドリソース上でのみ伝送する場合、RARメッセージ、ページングメッセージ、または競合解決メッセージ（または、RARメッセージ、ページングメッセージ、もしくは競合解決メッセージなどの情報をスケジューリングするための制御情報）などの情報の容量は制限されている。
【０００５】
RARメッセージ、ページングメッセージ、または競合解決メッセージ（または、RARメッセージ、ページングメッセージ、もしくは競合解決メッセージなどの情報をスケジューリングするための制御情報）などの情報の容量を増加させるために、基地局は、システム情報、RARメッセージ、ページングメッセージ、または競合解決メッセージ（または、システム情報、RARメッセージ、ページングメッセージ、もしくは競合解決メッセージなどの情報をスケジューリングするための制御情報）などの情報を、キャリアの全てのサブバンドリソース上で伝送する。しかし、結果として、基地局は、多くの繰り返されるシステム情報（またはシステム情報をスケジューリングするための制御情報）を送信し、システムリソースを浪費し、基地局の消費電力を増加させる。
【０００６】
また、キャリアアグリゲーションシナリオでは、基地局に複数のキャリアが設定されている場合、システム情報、RARメッセージ、ページングメッセージ、または競合解決メッセージ（または、システム情報、RARメッセージ、ページングメッセージ、もしくは競合解決メッセージなどの情報をスケジューリングするための制御情報）は、プライマリコンポーネントキャリア上でのみ伝送される。したがって、限られた容量の問題が依然として存在する。
【発明の概要】
【課題を解決するための手段】
【０００７】
本発明の実施形態は、情報伝送方法および装置を提供する。第1の伝送リソースと少なくとも1つの第2の伝送リソースが決定され、第1の情報は第1の伝送リソースを用いて送信され、第2の情報は第2の伝送リソースを用いて送信される。このように、基地局は、第2の情報の限られた容量を解決することに加えて、第1の情報を繰り返し送信することを避けるために、異なる伝送リソースを用いて第1の情報および第2の情報を送信できることにより、システムリソースを節約する。
【０００８】
第1の態様は、基地局を提供し、基地局は、
第1の伝送リソースを決定するように構成された処理モジュールと、
第1の伝送リソースを用いて第1の情報を送信するように構成された送信モジュールであって、第1の伝送リソースが、システム情報、またはシステム情報をスケジューリングするための制御情報のうちの少なくとも1つを含む、送信モジュールとを含み、
処理モジュールは、少なくとも1つの第2の伝送リソースを決定するようにさらに構成され、
送信モジュールは、第2の伝送リソースを用いて第2の情報をUEに送信するようにさらに構成され、第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。
【０００９】
第1の態様を参照すると、第1の態様の第1の可能な実施方法において、第1の伝送リソースは第1の周波数リソースを含み、第2の伝送リソースは第2の周波数リソースを含む。
【００１０】
第1の態様の第1の可能な実施方法を参照すると、第1の態様の第2の可能な実施方法において、第1の周波数リソースは第1のキャリアであり、第2の周波数リソースは第2のキャリアであり、第1のキャリアおよび第2のキャリアは、周波数が異なるキャリアであるか、または、
第1の周波数リソースは第3のキャリア上の第1のサブバンドリソースであり、第2の周波数リソースは第3のキャリア上の第2のサブバンドリソースであり、第1のサブバンドリソースおよび第2のサブバンドリソースは、周波数が異なるサブバンドリソースである。
【００１１】
第1の態様から第1の態様の第2の可能な実施方法のいずれか1つを参照すると、第1の態様の第3の可能な実施方法において、処理モジュールは、システムパラメータに従って第1の伝送リソースを決定するか、または予め設定された情報に従って第1の伝送リソースを決定するように特に構成され、システムパラメータは、システム無線フレーム番号、サブフレーム番号、システム帯域幅、第1の伝送リソースの構成情報、周波数ホッピングパターン、システム情報の伝送周期、システム情報の伝送時間リソース情報、またはリソーススケジューリング粒度のうちの1つ以上を含む。
【００１２】
第1の態様から第1の態様の第3の可能な実施方法のいずれか1つを参照すると、第1の態様の第4の可能な実施方法では、送信モジュールは、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソースの構成情報を搬送して、第1の伝送リソースの構成情報をUEに送信するようにさらに構成され、および／または、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソース情報を搬送して、第1の伝送リソース情報をUEに送信するようにさらに構成され、第1の伝送リソース情報は、第1の伝送リソースを示すために使用される。
【００１３】
第1の態様から第1の態様の第4の可能な実施方法のいずれか1つを参照すると、第1の態様の第5の可能な実施方法において、処理モジュールは、予め設定された情報に従って、少なくとも1つの第2の伝送リソースを決定するか、または、システムパラメータ、第2の伝送リソースの構成情報、UE特定パラメータ、またはUEグループ特定パラメータのうちの1つ以上に従って、少なくとも1つの第2の伝送リソースを決定するか、または、UEに伝送された第3の情報の伝送リソース情報に従って、少なくとも1つの第2の伝送リソースを決定するように特に構成され、第3の情報は、UEに伝送されたユニキャストデータ、ユニキャストデータをスケジューリングするために使用され、かつUEに伝送された制御情報、UEに伝送された応答フィードバック情報、またはUEに伝送されたUEパイロット情報のうちの1つ以上である。
【００１４】
第1の態様の第5の可能な実施方法を参照すると、第1の態様の第6の可能な実施方法では、処理モジュールは、UEに伝送された第3の情報の伝送リソース情報に従って少なくとも1つの第2の伝送リソースを決定し、かつ処理モジュールは、UEに第3の情報を伝送するための伝送リソース上でUEに第2の情報を伝送することを決定するようにさらに構成される。
【００１５】
第1の態様から第1の態様の第6の可能な態様の実施方法のいずれか1つを参照すると、第1の態様の第7の可能な実施方法において、送信モジュールは、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソースの構成情報を搬送して、第2の伝送リソースの構成情報をUEに送信するようにさらに構成され、および／または、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソース情報を搬送して、第2の伝送リソース情報をUEに送信するようにさらに構成され、第2の伝送リソース情報は、第2の伝送リソースを示すために使用される。
【００１６】
第1の態様の第7の可能な実施方法を参照すると、第1の態様の第8の可能な実施方法では、送信モジュールは、リソース識別情報をUEに送信するようにさらに構成され、リソース識別情報は、第2の伝送リソースが第1の伝送リソースと同一であること、または第2の伝送リソースが第2の伝送リソース情報に従って決定されることをUEに通知するために使用される。
【００１７】
第1の態様の第8の可能な実施方法を参照すると、第1の態様の第9の可能な実施方法では、送信モジュールは、同期チャネル、物理的ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いてリソース識別情報を搬送して、リソース識別情報をUEに送信するように特に構成される。
【００１８】
第2の態様は、ユーザ機器を提供し、ユーザ機器は、
第1の伝送リソースを決定するように構成された処理モジュールと、
基地局によって送信された第1の情報を第1の伝送リソースを用いて受信するように構成された受信モジュールであって、第1の情報が、システム情報、またはシステム情報をスケジューリングするための制御情報のうちの少なくとも1つを含む、受信モジュールとを含み、
処理モジュールは、第2の伝送リソースを決定するようにさらに構成され、
受信モジュールは、基地局によって送信された第2の情報を第2の伝送リソースを用いて受信するようにさらに構成され、第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。
【００１９】
第2の態様を参照すると、第2の態様の第1の可能な実施方法において、第1の伝送リソースは第1の周波数リソースを含み、第2の伝送リソースは第2の周波数リソースを含む。
【００２０】
第2の態様の第1の可能な実施方法を参照すると、第2の態様の第2の可能な実施方法において、第1の周波数リソースは第1のキャリアであり、第2の周波数リソースは第2のキャリアであり、第1のキャリアおよび第2のキャリアは、周波数が異なるキャリアであるか、または、
第1の周波数リソースは第3のキャリア上の第1のサブバンドリソースであり、第2の周波数リソースは第3のキャリア上の第2のサブバンドリソースであり、第1のサブバンドリソースおよび第2のサブバンドリソースは、周波数が異なるサブバンドリソースである。
【００２１】
第2の態様から第2の態様の第2の可能な実施方法のいずれか1つを参照すると、第2の態様の第3の可能な実施方法において、処理モジュールは、システムパラメータに従って第1の伝送リソースを決定するか、または予め設定された情報に従って第1の伝送リソースを決定するように特に構成され、システムパラメータは、システム無線フレーム番号、サブフレーム番号、システム帯域幅、第1の伝送リソースの構成情報、周波数ホッピングパターン、システム情報の伝送周期、システム情報の伝送時間リソース情報、またはリソーススケジューリング粒度のうちの1つ以上を含む。
【００２２】
第2の態様から第2の態様の第3の可能な実施方法のいずれか1つを参照すると、第2の態様の第4の可能な実施方法では、受信モジュールは、第1の伝送リソースの構成情報であり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された構成情報を受信するようにさらに構成され、および／または、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された第1の伝送リソース情報を受信するようにさらに構成され、第1の伝送リソース情報は、第1の伝送リソースを示すために使用される。
【００２３】
第2の態様から第2の態様の第4の可能な実施方法のいずれか1つを参照すると、第2の態様の第5の可能な実施方法において、処理モジュールは、予め設定された情報に従って、第2の伝送リソースを決定するか、または、システムパラメータ、第2の伝送リソースの構成情報、UE特定パラメータ、またはUEグループ特定パラメータのうちの1つ以上に従って、第2の伝送リソースを決定するか、または、UEに伝送された第3の情報の伝送リソース情報に従って第2の伝送リソースを決定するように特に構成され、第3の情報は、UEに伝送されたユニキャストデータ、ユニキャストデータをスケジューリングするために使用され、かつUEに伝送された制御情報、UEに伝送された応答フィードバック情報、またはUEに伝送されたUEパイロット情報のうちの1つ以上である。
【００２４】
第2の態様の第5の可能な実施方法を参照すると、第2の態様の第6の可能な実施方法では、処理モジュールは、UEに伝送された第3の情報の伝送リソース情報に従って第2の伝送リソースを決定し、かつ処理モジュールは、UEに第3の情報を伝送するための伝送リソース上で、第2の情報を受信することを決定するようにさらに構成される。
【００２５】
第2の態様から第2の態様の第6の可能な実施方法のいずれか1つを参照すると、第2の態様の第7の可能な実施方法では、受信モジュールは、第2の伝送リソースの構成情報であり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された構成情報を受信するようにさらに構成され、および／または、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された第2の伝送リソース情報を受信するようにさらに構成され、第2の伝送リソース情報は、第2の伝送リソースを示すために使用される。
【００２６】
第2の態様の第7の可能な実施方法を参照すると、第2の態様の第8の可能な実施方法では、受信モジュールは、基地局によって送信されたリソース識別情報を受信するようにさらに構成され、リソース識別情報は、第2の伝送リソースが第1の伝送リソースと同一であること、または第2の伝送リソースが第2の伝送リソース情報に従って決定されることをUEに通知するために使用される。
【００２７】
第2の態様の第8の可能な実施方法を参照すると、第2の態様の第9の可能な実施方法では、受信モジュールは、同期チャネル、物理的ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて基地局によって搬送されたリソース識別情報を受信するように特に構成される。
【００２８】
第3の態様は、情報伝送方法を提供し、方法は、
基地局により、第1の伝送リソースを決定するステップと、
基地局により、第1の伝送リソースを用いて第1の情報を送信するステップであって、第1の情報が、システム情報、またはシステム情報をスケジューリングするための制御情報のうちの少なくとも1つを含む、ステップと、
基地局により、少なくとも1つの第2の伝送リソースを決定するステップと、
基地局により、第2の伝送リソースを用いて第2の情報をUEに送信するステップであって、第2の情報が、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む、ステップとを含む。
【００２９】
第3の態様を参照すると、第3の態様の第1の可能な実施方法において、第1の伝送リソースは第1の周波数リソースを含み、第2の伝送リソースは第2の周波数リソースを含む。
【００３０】
第3の態様の第1の可能な実施方法を参照すると、第3の態様の第2の可能な実施方法において、第1の周波数リソースは第1のキャリアであり、第2の周波数リソースは第2のキャリアであり、第1のキャリアおよび第2のキャリアは、周波数が異なるキャリアであるか、または、
第1の周波数リソースは第3のキャリア上の第1のサブバンドリソースであり、第2の周波数リソースは第3のキャリア上の第2のサブバンドリソースであり、第1のサブバンドリソースおよび第2のサブバンドリソースは、周波数が異なるサブバンドリソースである。
【００３１】
第3の態様から第3の態様の第2の可能な実施方法のいずれか1つを参照すると、第3の態様の第3の可能な実施方法において、基地局により、第1の伝送リソースを決定するステップは、
基地局により、システムパラメータに従って第1の伝送リソースを決定するステップであって、システムパラメータが、システム無線フレーム番号、サブフレーム番号、システム帯域幅、第1の伝送リソースの構成情報、周波数ホッピングパターン、システム情報の伝送周期、システム情報の伝送時間リソース情報、またはリソーススケジューリング粒度のうちの1つ以上を含む、ステップ、または
基地局により、予め設定された情報に従って第1の伝送リソースを決定するステップを含む。
【００３２】
第3の態様から第3の態様の第3の可能な実施方法のいずれか1つを参照すると、第3の態様の第4の可能な実施方法では、方法は、
基地局により、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソースの構成情報を搬送して、第1の伝送リソースの構成情報をUEに送信するステップ、および／または、
基地局により、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソース情報を搬送して、第1の伝送リソース情報をUEに送信するステップであって、第1の伝送リソース情報が、第1の伝送リソースを示すために使用される、ステップをさらに含む。
【００３３】
第3の態様から第3の態様の第4の可能な実施方法のいずれか1つを参照すると、第3の態様の第5の可能な実施方法において、基地局により、少なくとも1つの第2の伝送リソースを決定するステップは、
基地局により、予め設定された情報に従って、少なくとも1つの第2の伝送リソースを決定するステップ、または、
基地局により、システムパラメータ、第2の伝送リソースの構成情報、UE特定パラメータ、またはUEグループ特定パラメータのうちの1つ以上に従って、少なくとも1つの第2の伝送リソースを決定するステップ、または、
基地局により、UEに伝送された第3の情報の伝送リソース情報に従って、少なくとも1つの第2の伝送リソースを決定するステップであって、第3の情報が、UEに伝送されたユニキャストデータ、ユニキャストデータをスケジューリングするために使用され、かつUEに伝送された制御情報、UEに伝送された応答フィードバック情報、またはUEに伝送されたUEパイロット情報のうちの1つ以上である、ステップとを含む。
【００３４】
第3の態様の第5の可能な実施方法を参照すると、第3の態様の第6の可能な実施方法では、基地局により、UEに伝送された第3の情報の伝送リソース情報に従って、少なくとも1つの第2の伝送リソースを決定するステップは、
基地局により、UEに第3の情報を伝送するための伝送リソース上でUEに第2の情報を伝送することを決定するステップをさらに含む。
【００３５】
第3の態様から第3の態様の第6の可能な実施方法のいずれか1つを参照すると、第3の態様の第7の可能な実施方法では、方法は、
基地局により、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソースの構成情報を搬送して、第2の伝送リソースの構成情報をUEに送信するステップ、および／または、
基地局により、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソース情報を搬送して、第2の伝送リソース情報をUEに送信するステップであって、第2の伝送リソース情報が、第2の伝送リソースを示すために使用される、ステップをさらに含む。
【００３６】
第3の態様の第7の可能な実施方法を参照すると、第3の態様の第8の可能な実施方法では、方法は、
基地局により、リソース識別情報をUEに送信するステップであって、リソース識別情報は、第2の伝送リソースが第1の伝送リソースと同一であること、または第2の伝送リソースが第2の伝送リソース情報に従って決定されることをUEに通知するために使用される、ステップをさらに含む。
【００３７】
第3の態様の第8の可能な実施方法を参照すると、第3の態様の第9の可能な実施方法では、基地局により、リソース識別情報をUEに送信するステップは、
基地局により、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いてリソース識別情報を搬送して、リソース識別情報をUEに送信するステップを含む。
【００３８】
第4の態様は、情報伝送方法を提供し、方法は、
UEにより、第1の伝送リソースを決定するステップと、
UEにより、基地局によって送信された第1の情報を第1の伝送リソースを用いて受信するステップであって、第1の情報が、システム情報、またはシステム情報をスケジューリングするための制御情報のうちの少なくとも1つを含む、ステップと、
UEにより、第2の伝送リソースを決定するステップと、
UEにより、基地局によって送信された第2の情報を第2の伝送リソースを用いて受信するステップであって、第2の情報が、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む、ステップとを含む。
【００３９】
第4の態様を参照すると、第4の態様の第1の可能な実施方法において、第1の伝送リソースは第1の周波数リソースを含み、第2の伝送リソースは第2の周波数リソースを含む。
【００４０】
第4の態様の第1の可能な実施方法を参照すると、第4の態様の第2の可能な実施方法において、第1の周波数リソースは第1のキャリアであり、第2の周波数リソースは第2のキャリアであり、第1のキャリアおよび第2のキャリアは、周波数が異なるキャリアであるか、または、
第1の周波数リソースは第3のキャリア上の第1のサブバンドリソースであり、第2の周波数リソースは第3のキャリア上の第2のサブバンドリソースであり、第1のサブバンドリソースおよび第2のサブバンドリソースは、周波数が異なるサブバンドリソースである。
【００４１】
第4の態様から第4の態様の第2の可能な実施方法のいずれか1つを参照すると、第4の態様の第3の可能な実施方法において、UEにより、第1の伝送リソースを決定するステップは、
UEにより、システムパラメータに従って第1の伝送リソースを決定するステップであって、システムパラメータが、システム無線フレーム番号、サブフレーム番号、システム帯域幅、第1の伝送リソースの構成情報、周波数ホッピングパターン、システム情報の伝送周期、システム情報の伝送時間リソース情報、またはリソーススケジューリング粒度のうちの1つ以上を含む、ステップ、または
UEにより、予め設定された情報に従って第1の伝送リソースを決定するステップを含む。
【００４２】
第4の態様から第4の態様の第3の可能な実施方法のいずれか1つを参照すると、第4の態様の第4の可能な実施方法では、方法は、
UEにより、第1の伝送リソースの構成情報であり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された構成情報を受信するステップ、および／または、
UEにより、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された第1の伝送リソース情報を受信するステップであって、第1の伝送リソース情報が、第1の伝送リソースを示すために使用される、ステップとをさらに含む。
【００４３】
第4の態様から第4の態様の第4の可能な実施方法のいずれか1つを参照すると、第4の態様の第5の可能な実施方法において、UEにより、第2の伝送リソースを決定するステップは、
UEにより、予め設定された情報に従って、第2の伝送リソースを決定するステップ、または、
UEにより、システムパラメータ、第2の伝送リソースの構成情報、UE特定パラメータ、またはUEグループ特定パラメータのうちの1つ以上に従って、第2の伝送リソースを決定するステップ、または、
UEにより、UEに伝送された第3の情報の伝送リソース情報に従って、第2の伝送リソースを決定するステップであって、第3の情報が、UEに伝送されたユニキャストデータ、ユニキャストデータをスケジューリングするために使用され、かつUEに伝送された制御情報、UEに伝送された応答フィードバック情報、またはUEに伝送されたUEパイロット情報のうちの1つ以上である、ステップを含む。
【００４４】
第4の態様の第5の可能な実施方法を参照すると、第4の態様の第6の可能な実施方法では、UEにより、UEに伝送された第3の情報の伝送リソース情報に従って、第2の伝送リソースを決定するステップは、
UEにより、UEに第3の情報を伝送するための伝送リソース上で第2の情報を受信することを決定するステップをさらに含む。
【００４５】
第4の態様から第4の態様の第6の可能な実施方法のいずれか1つを参照すると、第4の態様の第7の可能な実施方法では、方法は、
UEにより、第2の伝送リソースの構成情報であり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された構成情報を受信するステップ、および／または、
UEにより、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された第2の伝送リソース情報を受信するステップであって、第2の伝送リソース情報が、第2の伝送リソースを示すために使用される、ステップとをさらに含む。
【００４６】
第4の態様の第7の可能な実施方法を参照すると、第4の態様の第8の可能な実施方法において、方法は、
UEにより、基地局によって送信されたリソース識別情報を送信するステップであって、リソース識別情報は、第2の伝送リソースが第1の伝送リソースと同一であること、または第2の伝送リソースが第2の伝送リソース情報に従って決定されることをUEに通知するために使用される、ステップをさらに含む。
【００４７】
第4の態様の第8の可能な実施方法を参照すると、第4の態様の第9の可能な実施方法では、UEにより、基地局によって送信されたリソース識別情報を受信するステップは、
UEにより、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて基地局によって搬送されたリソース識別情報を受信するステップを含む。
【００４８】
本実施形態において提供される情報伝送方法および装置によれば、第1の伝送リソースおよび少なくとも1つの第2の伝送リソースが決定され、第1の情報は第1の伝送リソースを用いて送信され、第2の情報は第2の伝送リソースを用いて送信される。第1の情報は、システム情報、またはシステム情報をスケジューリングするための制御情報のうちの少なくとも1つを含み、第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。このように、基地局は、第2の情報の限られた容量を解決することに加えて、第1の情報を繰り返し送信することを避けるために、異なる伝送リソースを用いて第1の情報および第2の情報を送信できることにより、システムリソースを節約する。
【００４９】
本発明の実施形態または先行技術における技術的解決方法をより明確に説明するため、実施形態または先行技術を説明するために必要な添付図面を以下に簡単に説明する。当然ながら、以下の説明における添付図面は、本発明のいくつかの実施形態を示しており、当業者は創造的な努力なしにこれらの添付図面からさらに他の図面を導き出すことができる。
【図面の簡単な説明】
【００５０】
【図１】複数のサブバンドを含むキャリアのリソースの概略図である。
【図２】キャリアアグリゲーションシナリオにおけるリソースの概略図である。
【図３】キャリアアグリゲーションシナリオにおけるメッセージ送信の概略図である。
【図４】複数のサブバンドを含むキャリア上でのメッセージ送信の概略図である。
【図５】複数のサブバンドを含むキャリア上で複数のサブバンド上の情報を送信する概略図である。
【図６】本発明の実施形態による情報伝送方法および装置の適用シナリオを示す概略図である。
【図７】本発明の一実施形態による基地局の実施形態1の概略構成図である。
【図８】本発明の一実施形態によるユーザ機器の実施形態1の概略構成図である。
【図９】本発明の一実施形態による情報伝送方法の実施形態1のフローチャートである。
【図１０Ａ】本発明の一実施形態による情報伝送方法の実施形態2のフローチャートである。
【図１０Ｂ】本発明の一実施形態による情報伝送方法の実施形態2のフローチャートである。
【図１１】本発明の一実施形態による情報伝送方法の実施形態3のフローチャートである。
【図１２Ａ】本発明の一実施形態による情報伝送方法の実施形態4のフローチャートである。
【図１２Ｂ】本発明の一実施形態による情報伝送方法の実施形態4のフローチャートである。
【図１３】本発明の一実施形態による情報伝送方法における情報伝送の概略図である。
【発明を実施するための形態】
【００５１】
本発明の実施形態の目的、技術的解決方法および利点をより明確にするために、本発明の実施形態の添付図面を参照しつつ、本発明の実施形態の技術的解決方法を以下に明瞭かつ十分に説明する。当然ながら、説明された実施形態は、本発明の実施形態の全てではなく一部である。創作努力なしに本発明の実施形態に基づいて当業者によって得られる他の全ての実施形態は、本発明の保護範囲内に入るものとする。
【００５２】
無線通信では、信号受信／送信に関して低複雑性または低コストのUEによってサポートされる帯域幅は、システムで規定される最大キャリア帯域幅未満であるか、または特定のキャリア帯域幅未満である。例えば、現在のロングタームエボリューション（Long Term Evolution、LTE）通信システムでは、1.4MHz、3MHz、5MHz、10MHz、15MHz、20MHzの合計6種類のシステム帯域幅が規定されているが、低複雑性または低コストのUEによってサポートされている帯域幅は通常20MHz未満である。例えば、低複雑性または低コストのUEによってサポートされ得る信号帯域幅は、1.4MHz、または物理リソースブロック（Physical Resource Block、PRB）N（Nは正の整数、例えばN＝6）の周波数帯域幅である。LTEシステムでは、1つのPRBが180KHzの周波数リソースを占有する。
【００５３】
便宜上、低複雑性または低コストのユーザ機器によってサポートまたは処理され得る周波数リソースは、サブバンドと呼ぶことができる（本発明では、サブバンドは狭帯域とすることができる）。低複雑性または低コストのUEがサービスされる場合、UEは、複数のサブバンドリソースの情報を受信する必要があり得る。例えば、複数のサブバンドリソースは、その帯域幅が、低複雑性または低コストのUEによってサポートされる帯域幅よりも大きいキャリア上で定義される。低複雑性または低コストのUEは、1つのサブバンドリソースのみに関する情報を同時に受信または送信することができる。サブバンドリソースとは、キャリア上の特定の周波数幅を占有する周波数リソースを指す。例えば、サブバンドは、1つ以上のPRBを含むことができ、または1つ以上のサブキャリアを含むことができる。あるいは、サブバンドの周波数リソース幅および周波数リソースロケーションは、予め決定されているか、または予め設定されている。通常、1つのサブバンドリソースによって占有される周波数幅は、低複雑性または低コストのUEによってサポートされ得る帯域幅以下である。本発明では、本発明の実施形態の実施方法を説明するために、UEの例として、低複雑性または低コストのUEが使用される。
【００５４】
本発明におけるユニキャスト情報は、セル無線ネットワーク一時識別子（Cell Radio Network Temporary Identifier、C-RNTI）によってスクランブルされた情報、半永久的スケジューリングセル無線ネットワーク一時識別子（Semi-Persist For scheduling Cell Radio Network Temporary Identifier、SPS-RNTI）によってスクランブルされた情報、または伝送電力制御無線ネットワーク一時識別子（Transmit Power Control Radio Network Temporary Identifier、TPC-RNTI）によってスクランブルされた情報のうちの1つ以上であってもよい。
【００５５】
本発明におけるシステム情報および／またはシステム情報をスケジューリングするための制御情報は、1つのセル内の全てのUEに対して同じ情報であってもよい。例えば、システム情報および／またはシステム情報をスケジューリングするための制御情報は、システム情報無線ネットワーク一時識別子（System Information Radio Network Temporary Identifier、SI-RNTI）によってスクランブルされた情報であってもよい。
【００５６】
本発明におけるランダムアクセス応答情報および／またはランダムアクセス応答情報をスケジューリングするための制御情報は、ランダムアクセス無線ネットワーク一時識別子（Random Access Radio Network Temporary Identifier、RA-RNTI）によってスクランブルされた情報であってもよい。
【００５７】
本発明におけるページングメッセージおよび／またはページングメッセージをスケジューリングするための制御情報は、ページング無線ネットワーク一時識別子（paging access radio network temporary identifier、P-RNTI）によってスクランブルされた情報であってもよい。
【００５８】
本発明における競合解決メッセージおよび／または競合解決メッセージをスケジューリングするための制御情報は、一時無線ネットワーク一時識別子（temporary radio network temporary identifier、T-RNTI）によってスクランブルされた情報、C-RNTIによってスクランブルされた情報、SPS-RNTIによってスクランブルされた情報、またはTPC-RNTIによってスクランブルされた情報のうちの1つ以上であってもよい。
【００５９】
図1に示すように、図1は、複数のサブバンドを含むキャリアのリソースの概略図であり、図1では、2つのサブバンドリソースを含むキャリアが一例として使用される。本発明の実施形態では、UEは、キャリア上またはシステム帯域幅内の1つ以上のサブバンドリソースの周波数リソースロケーションを知っていてもよく、またはUEは、キャリア上またはシステム帯域幅内の1つ以上のサブバンドリソースの周波数リソースロケーションを知らなくてもよい。これは限定されない。
【００６０】
また、キャリアアグリゲーションシナリオにおいて、システム帯域幅には、1つのプライマリコンポーネントキャリアおよび複数のセカンダリコンポーネントキャリアを含む、複数のキャリアが含まれる。図2に示すように、図2は、キャリアアグリゲーションシナリオにおけるリソースの概略図であり、図2では、キャリアアグリゲーションの例として2つのキャリアが使用されている。
【００６１】
現在の無線通信システムでは、システム情報、RARメッセージ、ページングメッセージ、および競合解決メッセージは、プライマリコンポーネントキャリア上でのみ伝送される。システム情報、RARメッセージ、ページングメッセージ、または競合解決メッセージをスケジューリングするための制御チャネルは、プライマリコンポーネントキャリア上でのみ伝送される。あるいは、システム情報、RARメッセージ、ページングメッセージ、および競合解決メッセージは、キャリアの1つの共通サブバンドリソース上でのみ伝送される。あるいは、システム情報、RARメッセージ、ページングメッセージ、または競合解決メッセージをスケジューリングするための制御チャネルは、キャリアの1つの共通サブバンドリソース上でのみ伝送される。図3および図4に示すように、図3は、キャリアアグリゲーションシナリオにおけるメッセージ送信の概略図であり、図4は、複数のサブバンドを含むキャリア上でのメッセージ送信の概略図である。
【００６２】
図3および図4から、システム情報、RARメッセージ、ページングメッセージ、および競合解決メッセージ（または、システム情報、RARメッセージ、ページングメッセージ、もしくは競合解決メッセージをスケジューリングするための制御チャネル）は、プライマリコンポーネントキャリア上でのみ伝送されるか、または、システム情報、RARメッセージ、ページングメッセージ、および競合解決メッセージ（または、システム情報、RARメッセージ、ページングメッセージ、もしくは競合解決メッセージをスケジューリングするための制御チャネル）は、キャリアの1つの共通サブバンドリソース上でのみ伝送されることが分かる。プライマリコンポーネントキャリアまたは共通サブバンドリソース上でシステム情報、RARメッセージ、ページングメッセージ、および競合解決メッセージ（または、システム情報、RARメッセージ、ページングメッセージ、もしくは競合解決メッセージをスケジューリングするための制御チャネル）を伝送するための容量は、非常に制限されている。例えば、システム情報、RARメッセージ、ページングメッセージ、または競合解決メッセージをスケジューリングするための制御チャネルは、共通探索空間（Common Search Space、CSS）または拡張共通探索空間（enhanced common search space、eCSS）内の制御チャネル要素の数によって制限され、結果として、システム情報、RARメッセージ、ページングメッセージ、または競合解決メッセージをスケジューリングするための制御チャネルの数が制限される。同様に、システム情報、RARメッセージ、ページングメッセージ、および競合解決メッセージの伝送は、プライマリコンポーネントキャリアのサイズまたは共通サブバンドリソースのサイズによって制限され、結果として、サポートされ得るシステム情報、RARメッセージ、ページングメッセージ、および競合解決メッセージが制限される。特に、システム情報、RARメッセージ、ページングメッセージ、および競合解決メッセージを単一の受信アンテナでUEに伝送することを考慮すると、限られたリソース上で伝送できるシステム情報の量、または制限されたリソース上で伝送できるRARメッセージ、ページングメッセージ、または競合解決メッセージはさらに制限される。
【００６３】
図4に示す複数のサブバンドを含むキャリア上で情報を送信する際の容量が限られているという問題を解決するために、現在、システム情報、RARメッセージ、ページングメッセージ、および競合解決メッセージ（または、システム情報、RARメッセージ、ページングメッセージ、もしくは競合解決メッセージをスケジューリングするための制御チャネル）を1つのキャリア上の複数のサブバンドリソース上で伝送するという解決方法がある。図5に示すように、図5は、複数のサブバンドを含むキャリア上で複数のサブバンド上の情報を送信する概略図である。
【００６４】
図5に示す解決方法では、RARメッセージ、ページングメッセージ、および競合解決メッセージは、UEのグループのためのメッセージである。図5に示す解決方法では、複数のサブバンド上でRARメッセージ、ページングメッセージ、および競合解決メッセージ（または、RARメッセージ、ページングメッセージ、もしくは競合解決メッセージをスケジューリングするための制御チャネル）を伝送するステップは、ページング容量を増やすか、またはより多くのUEのランダムアクセスに影響する可能性がある。
【００６５】
図5に示す解決方法では、キャリア上で情報を送信する際の限られた容量の問題を解決することができる。しかし、システム情報（または、システム情報をスケジューリングするための制御チャネル）は全てのUEに対する共通のメッセージであるため、全てのサブバンドリソースでシステム情報（またはシステム情報をスケジューリングするための制御チャネル）が伝送される場合、多くの繰り返されるシステム情報（またはシステム情報をスケジューリングするための制御チャネル）が伝送されるため、システム資源が浪費され、基地局の電力消費が浪費される。
【００６６】
任意選択的に、低複雑性または低コストのUEは、受信帯域幅または送信帯域幅が制限されている。したがって、低複雑性または低コストのUEのユニキャスト情報（ユニキャストデータおよび／またはユニキャストデータをスケジューリングするための制御情報）が、低複雑性または低コストのUEのRARメッセージ、ページングメッセージ、または競合解決メッセージ（または、RARメッセージ、ページングメッセージ、もしくは競合解決メッセージをスケジューリングするための制御チャネル）と同じサブバンドリソース上で送信されない場合、UEは、ユニキャスト情報を受信するためのサブバンドリソースと、RARメッセージ、ページングメッセージ、および競合解決メッセージ（または、RARメッセージ、ページングメッセージ、もしくは競合解決メッセージをスケジューリングするための制御チャネル）を受信するためのサブバンドリソースとの間のハンドオーバーを実行しなければならない。結果として、UEの電力消費が浪費され、標準的な複雑性が増大する。
【００６７】
その結果、図5の解決方法では、各サブバンドリソースでシステム情報が伝送されるため、結果として多くの繰り返されるシステム情報が伝送され、システムリソースが浪費され、基地局の消費電力が浪費される。また、低複雑性または低コストのUEのユニキャスト情報（ユニキャストデータおよび／またはユニキャストデータをスケジューリングするための制御情報）が、低複雑性または低コストのUEのRARメッセージ、ページングメッセージ、または競合解決メッセージ（または、RARメッセージ、ページングメッセージ、もしくは競合解決メッセージをスケジューリングするための制御チャネル）と同じサブバンドリソース上で送信されない場合、UEは、ユニキャスト情報（ユニキャストデータおよび／またはユニキャストデータをスケジューリングするための制御情報）を受信するためのサブバンドリソースと、RARメッセージ、ページングメッセージ、または競合解決メッセージ（または、RARメッセージ、ページングメッセージ、もしくは競合解決メッセージをスケジューリングするための制御チャネル）を受信するためのサブバンドリソースとの間のハンドオーバーを実行しなければならない。結果として、UEの電力消費が浪費され、標準的な複雑性が増大する。
【００６８】
その結果、マルチサブバンドまたはキャリアアグリゲーションシナリオでは、システム情報、RARメッセージ、ページングメッセージ、および競合解決メッセージなどの情報の伝送には特定の欠点がある。本発明の実施形態は、上記欠点を解決するための情報伝送方法および装置を提供する。
【００６９】
本発明の実施形態による情報伝送方法および装置は、どのような通信システムにも適用可能である。通信システム内のエンティティが、システム情報、RARメッセージ、ページングメッセージ、または競合解決メッセージのうちの1つ以上を送信できる場合、通信システム内には、例えば、ロングタームエボリューション（Long Term Evolution、LTE）システムまたはロングタームエボリューションアドバンス（Long Term Evolution Advanced、LTE-A）システムのようなシステム情報、RARメッセージ、ページングメッセージ、または競合解決メッセージのうちの1つ以上を受信することができる別のエンティティが存在する。
【００７０】
図6は、本発明の実施形態による情報伝送方法および装置の適用シナリオの概略図である。図6に示すように、基地局61およびUE62からUE67の合計7つのネットワークエンティティが通信システムを構成している。通信システムでは、基地局61は、1つ以上のシステム情報、RARメッセージ、ページングメッセージ、または競合解決メッセージをUE62からUE67の1つ以上に送信する。UE65からUE67は通信システムも構成し、UE65は、UE66またはUE67の一方または両方に、システム情報、RARメッセージ、ページングメッセージ、または競合解決メッセージのうちの1つ以上を送信してもよい。UE64からUE66を含む通信システムにおいて、UE65は、UE65からUE67を含む通信システムにおける基地局に相当する。
【００７１】
図7は、本発明の一実施形態による基地局の実施形態1の概略構成図である。図7に示すように、本実施形態における基地局は、
第1の伝送リソースを決定するように構成された処理モジュール71と、
第1の伝送リソースを用いて第1の情報を送信するように構成された送信モジュール72であって、第1の情報が、システム情報、またはシステム情報をスケジューリングするための制御情報のうちの少なくとも1つを含む、送信モジュール72と
を含む。
【００７２】
処理モジュール71は、少なくとも1つの第2の伝送リソースを決定するようにさらに構成される。
【００７３】
送信モジュール72は、第2の伝送リソースを用いて第2の情報をUEに送信するようにさらに構成される。第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。
【００７４】
システム情報および／またはシステム情報をスケジューリングするための制御情報が、基地局によって、カバレージエリア内の全てのUEに同時に送信されることを考慮すると、基地局のカバレージエリア内の全てのUEによって受信されたシステム情報は同一である。ページングメッセージ、RARメッセージ、または競合解決メッセージ（ページングメッセージをスケジューリングするための制御情報、ランダムアクセス応答メッセージをスケジューリングするための制御情報、または競合解決メッセージをスケジューリングするための制御情報）は、基地局からUEのグループに送信される可能性があり、基地局のカバレージエリア内の全てのUEに同時に送信されない。カバレージ向上を考慮して、基地局のカバレージエリア内のUEは複数のグループに分類されてもよく、基地局は、ページングメッセージ、RARメッセージ、または競合解決メッセージをUEの各グループに異なる回数で繰り返し送信する。複数のサブバンドリソースにおいてページングメッセージ、RARメッセージ、または競合解決メッセージ（ページングメッセージをスケジューリングするための制御情報、ランダムアクセス応答メッセージをスケジューリングするための制御情報、または競合解決メッセージをスケジューリングするための制御情報）を送信するステップは、ページングメッセージ、RARメッセージ、または競合解決メッセージによってサポートされ得るUEの数を増加させることができる。
【００７５】
本実施形態で提供される基地局は、システム情報を送信するための伝送リソースを、ページングメッセージ、RARメッセージ、または競合解決メッセージ（ページングメッセージをスケジューリングするための制御情報、ランダムアクセス応答メッセージをスケジューリングするための制御情報、または競合解決メッセージをスケジューリングするための制御情報）を送信するための伝送リソースから分離し、いくつかの伝送リソースを用いてシステム情報を送信し、ページングメッセージ、RARメッセージ、または競合解決メッセージ（ページングメッセージをスケジューリングするための制御情報、ランダムアクセス応答メッセージをスケジューリングするための制御情報、または競合解決メッセージをスケジューリングするための制御情報）を他の伝送リソースを用いて送信する。ページングメッセージ、RARメッセージ、または競合解決メッセージの伝送は、サブバンドリソースのサイズによって制限され、ページングメッセージ、RARメッセージ、または競合解決メッセージは、伝送リソースのグループ上で限られた数のUEをサポートする。したがって、基地局は、ページングメッセージ、RARメッセージ、または競合解決メッセージを送信するための伝送リソースを複数のグループに分割し、ページングメッセージ、RARメッセージ、または競合解決メッセージを、伝送リソースの各グループ上でUEのグループに送信することができる。このようにして、ページングメッセージ、RARメッセージ、または競合解決メッセージを送信するための伝送リソースの容量が限られているという問題が解決され、冗長なシステム情報は送信されない。
【００７６】
具体的には、本実施形態で提供される基地局は、処理モジュール71と送信モジュール72とを含む。処理モジュール71は、第1の伝送リソースおよび少なくとも1つの第2の伝送リソースを決定するように構成される。送信モジュール72は、第1の伝送リソースを用いて第1の情報を送信するように構成され、第1の情報はシステム情報、またはシステム情報をスケジューリングするための制御情報のうちの少なくとも1つを含み、また、第2の伝送リソースを用いて第2の情報をUEに送信するように構成され、第2の情報はページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。
【００７７】
第1の伝送リソースおよび第2の伝送リソースは、第1の情報と第2の情報とを伝送するために使用される伝送リソースを示す。第1の伝送リソースおよび第2の伝送リソースは、周波数リソース、時間リソース、時間周波数リソース、またはコードワードリソースのうちのいずれか1つであってもよい。以下の本発明の実施形態では、説明のための例として周波数リソースのみが用いられ、すなわち、説明のための例において、第1の伝送リソースは第1の周波数リソースであり、第2の伝送リソースは第2の周波数リソースである。
【００７８】
第1の情報は、システム情報、またはシステム情報をスケジューリングするための制御情報の1つ以上を含む。システム情報は、セルの関連するパラメータ情報を含む。例えば、システム情報は、SIBおよび／またはMIBを含む。SIBは、複数のSIBタイプであってもよい。システム情報は、SI-RNTIによってスクランブルされた情報であってもよい。特定のカテゴリ（category）のUEまたは複数のカテゴリのUEについて、新しいSIBおよび／またはMIBが、UEの特定のカテゴリまたはUEの複数のカテゴリに対して定義されてもよい。制御情報は、情報伝送のために占有されたリソース、変調および符号化方式、または制御情報によってスケジューリングされる周波数ホッピング指示のうちの1つ以上を示す。制御情報は、物理ダウンリンク制御チャネル（Physical Downlink Control Channel、PDCCH）、拡張物理ダウンリンク制御チャネル（Enhanced Physical Downlink Control Channel、EPDCCH）、または別のタイプの制御チャネル上で搬送されてもよい。あるいは、制御情報は、別の物理チャネル、論理チャネル、または伝送チャネル上で搬送されてもよい。
【００７９】
第2の情報は、ページング情報、ランダムアクセス応答、ページング情報をスケジューリングするための制御情報、ランダムアクセス応答をスケジューリングするための制御情報、競合解決メッセージ、または競合解決メッセージをスケジューリングするための制御情報のうちの1つ以上を含む。基地局によって送信されたページングメッセージは、複数のUEのページング情報を搬送することができる。基地局によって送信されたランダムアクセス応答メッセージは、複数のUEのランダムアクセス応答情報を搬送することができる。制御情報の内容および伝送は、第1の情報の内容および伝送と同様である。詳細はここでは説明しない。
【００８０】
処理モジュール71は、具体的には、システムパラメータに従って第1の伝送リソースを決定するように構成される。システムパラメータは、システム無線フレーム番号、サブフレーム番号、システム帯域幅、第1の伝送リソースの構成情報、周波数ホッピングパターン、システム情報の伝送周期、システム情報の伝送時間リソース情報、またはリソーススケジューリング粒度のうちの1つ以上を含む。
【００８１】
あるいは、処理モジュール71は、予め設定されているかまたはデフォルトの方法で、第1の伝送リソースを決定してもよい。本明細書における第1の伝送リソースは、システム内に予め設定された第1の伝送リソースであるか、またはシステム内のデフォルトの第1の伝送リソースである。
【００８２】
処理モジュール71は、具体的には、予め設定されているかまたはデフォルトの方法で、第2の伝送リソースを決定するように構成される。第2の伝送リソースは、システム内に予め設定された第2の伝送リソースであってもよいし、システム内のデフォルトの第2の伝送リソースであってもよい。
【００８３】
あるいは、処理モジュール71は、システムパラメータ、第2の伝送リソースの構成情報、UE特定パラメータ、またはUEグループ特定パラメータのうちの1つ以上に従って、少なくとも1つの第2の伝送リソースを決定する。例えば、システムパラメータは、システム無線フレーム番号、サブフレーム番号、システム帯域幅、第1の伝送リソースの数、周波数ホッピングパターン、システム情報の伝送周期、システム情報の伝送時間リソース情報等のうちの1つ以上であってもよい。UE特定パラメータは、UE識別情報またはUEの他の特定情報であってもよい。例えば、UE識別情報は、国際移動体加入者識別情報（International Mobile Subscriber Identity、IMSI）、国際移動体機器識別情報（International Mobile Equipment Identity、IMEI）、一時移動体加入者識別情報（Temporary Mobile Subscriber Identity、TMSI）、または無線ネットワーク一時識別子（Radio Network Temporary Identifier、RNTI）であってもよい。UEの他の特定情報は、UEによって選択されたプリアンブルシーケンスまたはUEによって選択されたプリアンブルシーケンスインデックス、UEによって選択されたアクセスモーメント情報、UEによって選択されたアクセス伝送リソース情報、またはUEの特定周波数ホッピング情報のうちの1つ以上であってもよい。UEグループ特定パラメータは、RA-RNTI、UEグループの特定時間リソース情報、UEグループの特定伝送リソース情報、またはUEグループの特定周波数ホッピング情報のうちの1つ以上であってもよい。基地局は、UE特定パラメータ（またはUEグループ特定パラメータ）と第2の伝送リソースとの間の対応関係に従って、特定のUE（または特定のUEグループ）のための第2の伝送リソースを決定することができる。本明細書における対応関係は、機能、テーブル、事前定義、またはシグナリング構成の1つ以上の方法で具体化されてもよい。
【００８４】
あるいは、処理モジュール71は、UEに伝送された第3の情報の伝送リソース情報に従って、少なくとも1つの第2の伝送リソースを決定する。第3の情報は、UEに伝送されたユニキャストデータ、ユニキャストデータをスケジューリングするために使用され、かつUEに伝送される制御情報、UEに伝送された応答フィードバック情報、またはUEに伝送されたUEパイロット情報のうちの1つ以上であるか、または、第3の情報は、C-RNTI、SPS-RNTI、またはTPC-RNTIによってスクランブルされた情報であってもよい。例えば、基地局は、第3の情報をUEに伝送するための伝送リソース上で第2の情報をUEに伝送することを決定する。すなわち、基地局は、第2の伝送リソースが第3の情報をUEに伝送するための周波数リソースであることを決定する。
【００８５】
任意選択的に、処理モジュール71は、UEに伝送された第3の情報の伝送リソース情報に従って、少なくとも1つの第2の伝送リソースを決定し、処理モジュール71は、第3の情報をUEに伝送するための伝送リソース上で、UEに第2の情報を伝送することを決定するようにさらに構成される。上記説明によれば、第3の情報は、UEに伝送されたユニキャストデータ、ユニキャストデータをスケジューリングするために使用され、かつUEに伝送される制御情報、UEに伝送される応答フィードバック情報、またはUEに伝送されたUEパイロット情報のうちの1つ以上であることが分かる。すなわち、第3の情報は、UEと基地局との間の通常の通信において伝送されるデータである。すなわち、基地局は、UEと基地局との間の通常の通信に使用される伝送リソース上で、第2の情報をUEに送信することができる。
【００８６】
なお、第1の周波数リソースおよび第2の周波数リソースは、周波数が異なる周波数リソースである。図3に示すキャリアアグリゲーションシナリオを参照すると、第1の周波数リソースは第1のキャリアであり、第2の周波数リソースは第2のキャリアであり、第1のキャリアおよび第2のキャリアは異なる周波数のキャリアである。図4に示す複数のサブバンドを含むキャリアシナリオを参照すると、第1の周波数リソースは第3のキャリア上の第1のサブバンドリソースであり、第2の周波数リソースは第3のキャリア上の第2のサブバンドリソースであり、第1のサブバンドリソースおよび第2のサブバンドリソースは、周波数が異なるサブバンドリソースである。複数の第2のキャリアまたは第2のサブバンドリソースが存在してもよい。複数の第2の周波数リソースが第3のキャリア上の基地局に対して構成されている場合、基地局は、第2の情報を1つの第2の周波数リソース上のUEのグループに伝送し、第2の情報を別の第2の周波数リソース上の別のUEのグループに伝送してもよい。
【００８７】
具体的には、例えば、第1キャリアおよび第2キャリアは、異なる周波数リソースを占有するキャリアである。あるいは、第1の周波数リソースおよび第2の周波数リソースは、異なる周波数リソースを占有するサブバンドリソースである。あるいは、第1の周波数リソースおよび第2の周波数リソースは、異なる時間リソースを占有する。第1のキャリアの帯域幅が20MHzであり、中心周波数が900MHzである場合、第1のキャリアリソースは890MHzから910MHzである。第2のキャリアの帯域幅が20MHzであり、中心周波数が930MHzである場合、第2のキャリアリソースは920MHzから940MHzである。別の例では、第3キャリアの帯域幅が20MHzであり、中心周波数が2.0GHzである場合、第3キャリアリソースは、1990MHzから2010MHzである。第3のキャリアには、100個のPRB（インデックスは別々に0から99）が存在する。第3のキャリア上の第1のサブバンドリソースは＃47、＃48、＃49、＃50、＃51、＃52の6つのPRBリソースを占有することを特定し、第3のキャリア上の第2のサブバンドリソースは＃57、＃58、＃59、＃60、＃61、＃62の6つのPRBリソースを占有することを特定する。別の例では、第1の周波数リソースは、偶数の無線フレーム内の＃47、＃48、＃49、＃50、＃51、＃52の6つのPRBリソースを占有し、第2の周波数リソースは、奇数の無線フレーム内の＃47、＃48、＃49、＃50、＃51、＃52の6つのPRBリソースを占有する。
【００８８】
本実施形態で提供される基地局によれば、第1の伝送リソースと少なくとも1つの第2の伝送リソースとが決定され、第1の伝送リソースを用いて第1の情報が送信され、第2の伝送リソースを用いて第2の情報が送信される。第1の情報は、システム情報、またはシステム情報をスケジューリングするための制御情報のうちの少なくとも1つを含み、第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。したがって、基地局は、第2の情報の限られた容量を解決することに加えて、第1の情報を繰り返し送信することを避けるために、異なる伝送リソースを用いて第1の情報および第2の情報を送信できることにより、システムリソースを節約する。
【００８９】
任意選択的に、図7の実施形態において、送信モジュール72は、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソースの構成情報を搬送し、第1の伝送リソースの構成情報をUEに送信するようにさらに構成され、および／または、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソース情報を搬送し、第1の伝送リソース情報をUEに送信するようにさらに構成され、第1の伝送リソース情報は、第1の伝送リソースを示すために使用される。
【００９０】
なお、初期ランダムアクセス応答およびRARメッセージは、異なるランダムアクセス応答メッセージである。初期ランダムアクセス応答は、RARメッセージの前に送信される別のランダムアクセス応答である。
【００９１】
任意選択的に、図7の実施形態において、送信モジュール72は、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソースの構成情報を搬送し、第2の伝送リソースの構成情報をUEに送信するようにさらに構成され、および／または、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソース情報を搬送し、第2の伝送リソース情報をUEに送信するようにさらに構成され、第2の伝送リソース情報は、第2の伝送リソースを示すために使用される。
【００９２】
任意選択的に、図7に示す実施形態では、送信モジュール72は、UEにリソース識別情報を送信するようにさらに構成される。リソース識別情報を用いて、第2の伝送リソースが第1の伝送リソースと同一であるか、または第2の伝送リソースが第2の伝送リソース情報に従って決定されることをUEに通知する。
【００９３】
任意選択的に、図7に示す実施形態では、送信モジュール72は、具体的には、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて、リソース識別情報を搬送し、リソース識別情報をUEに送信するように構成される。
【００９４】
任意選択的に、図7に示す実施形態では、基地局が第1の伝送リソース情報を更新しない場合、基地局は、以前に決定された第1の伝送リソースを用いて第1の情報を伝送する。基地局が第2の伝送リソース情報を更新しない場合、基地局は、予め決定された第2の伝送リソースを用いて第2の情報を送信する。基地局が第2の情報をユーザ機器に伝送する前に第2の伝送リソース情報またはUEのリソース識別情報を搬送しない場合、基地局は、第1の伝送リソース上でUEに第2の情報を伝送する。基地局が第2の伝送リソース情報またはUEのリソース識別情報を搬送した後、基地局は、第2の伝送リソース情報またはリソース識別情報によって示された伝送リソース上で、第2の情報をUEに伝送する。
【００９５】
図8は、本発明の一実施形態によるユーザ機器の実施形態1の概略構成図である。図8に示すように、本実施形態におけるユーザ機器は、
第1の伝送リソースを決定するように構成された処理モジュール81と、
基地局から送信された第1の情報を第1の伝送リソースを用いて受信するように構成された受信モジュール82であって、第1の情報が、システム情報、またはシステム情報をスケジューリングするための制御情報のうちの少なくとも1つを含む、受信モジュール82と
を含む。
【００９６】
処理モジュール81は、第2の伝送リソースを決定するようにさらに構成される。
【００９７】
受信モジュール82は、基地局から送信された第2の情報を第2の伝送リソースを用いて受信するようにさらに構成される。第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。
【００９８】
具体的には、本実施形態で提供されるUEは、処理モジュール81と受信モジュール82とを含む。処理モジュール81は、第1の伝送リソースおよび第2の伝送リソースを決定するように構成される。受信モジュール82は、基地局から送信された第1の情報を第1の伝送リソースを用いて受信するように構成され、第1の情報は、システム情報、またはシステム情報をスケジューリングするための制御情報のうちの少なくとも1つを含み、また、基地局UEから送信された第2の情報を第2の伝送リソースを用いて受信するように構成され、第2の情報は、ページングメッセージをスケジューリングするための制御情報、ランダムアクセス応答メッセージをスケジューリングするための制御情報、競合解決メッセージをスケジューリングするための制御情報のうちの少なくとも1つを含む。
【００９９】
第1の伝送リソースおよび第2の伝送リソースは、第1の情報と第2の情報とを伝送するために使用される伝送リソースを示す。第1の伝送リソースおよび第2の伝送リソースは、周波数リソース、時間リソース、時間周波数リソース、またはコードワードリソースのうちのいずれか1つであってもよい。以下の本発明の実施形態では、説明のための例として周波数リソースのみが用いられ、すなわち、説明のための例において、第1の伝送リソースは第1の周波数リソースであり、第2の伝送リソースは第2の周波数リソースである。
【０１００】
本実施形態における第1の情報および第2の情報は、図7に示す実施形態における第1の情報および第2の情報と同様であり、詳細はここでは説明しない。
【０１０１】
処理モジュール81は、具体的には、システムパラメータに従って第1の伝送リソースを決定するように構成され、システムパラメータは、システム無線フレーム番号、サブフレーム番号、システム帯域幅、第1の伝送リソースの構成情報、周波数ホッピングパターン、システム情報の送信周期、システム情報の伝送時間リソース情報、またはリソーススケジューリング粒度のうちの1つ以上を含む。
【０１０２】
あるいは、処理モジュール81は、予め設定されているかまたはデフォルトの方法で、第1の伝送リソースを決定してもよい。本明細書における第1の伝送リソースは、システム内に予め設定された第1の伝送リソースであるか、またはシステム内のデフォルトの第1の伝送リソースである。
【０１０３】
処理モジュール81は、具体的には、予め設定されているかまたはデフォルトの方法で、第2の伝送リソースを決定するように構成される。第2の伝送リソースは、システム内に予め設定された第2の伝送リソースであってもよいし、システム内のデフォルトの第2の伝送リソースであってもよい。
【０１０４】
あるいは、処理モジュール81は、システムパラメータ、第2の伝送リソースの構成情報、UE特定パラメータ、またはUEグループ特定パラメータのうちの1つ以上に従って、第2の伝送リソースを決定する。例えば、システムパラメータは、システム無線フレーム番号、サブフレーム番号、システム帯域幅、第1の伝送リソースの数、周波数ホッピングパターン、システム情報の伝送周期、システム情報の伝送時間リソース情報等のうちの1つ以上であってもよい。UE特定パラメータは、UE識別情報またはUEの他の特定情報であってもよい。例えば、UE識別情報は、IMSI、IMEI、TMSI、またはRNTIであってもよい。UEの他の特定情報は、UEによって選択されたプリアンブルシーケンスまたはUEによって選択されたプリアンブルシーケンスインデックス、UEによって選択されたアクセスモーメント情報、UEによって選択されたアクセス伝送リソース情報、またはUEの特定周波数ホッピング情報のうちの1つ以上であってもよい。UEグループ特定パラメータは、RA-RNTI、UEグループの特定時間リソース情報、UEグループの特定伝送リソース情報、またはUEグループの特定周波数ホッピング情報のうちの1つ以上であってもよい。基地局は、UE特定パラメータ（またはUEグループ特定パラメータ）と第2の伝送リソースとの間の対応関係に従って、特定のUE（または特定のUEグループ）のための第2の伝送リソースを決定することができる。本明細書における対応関係は、機能、テーブル、事前定義、またはシグナリング構成の1つ以上の方法で具体化されてもよい。
【０１０５】
あるいは、処理モジュール81は、UEに伝送された第3の情報の伝送リソース情報に従って、第2の伝送リソースを決定する。第3の情報は、UEに伝送されたユニキャストデータ、ユニキャストデータをスケジューリングするために使用され、かつUEに伝送される制御情報、UEに伝送された応答フィードバック情報、またはUEに伝送されたUEパイロット情報のうちの1つ以上である。例えば、UEは、第3の情報を伝送するための伝送リソース上で第2の情報を伝送することを決定する。すなわち、UEは、第2の伝送リソースが第3の情報を伝送するための周波数リソースであることを決定する。
【０１０６】
任意選択的に、処理モジュール81は、UEに伝送された第3の情報の伝送リソース情報に従って第2の伝送リソースを決定し、処理モジュールは、第3の情報をUEに伝送するための伝送リソース上で、第2の情報を受信することを決定するようにさらに構成される。上記説明によれば、第3の情報は、UEに伝送されたユニキャストデータ、ユニキャストデータをスケジューリングするために使用され、かつUEに伝送される制御情報、UEに伝送される応答フィードバック情報、またはUEに伝送されたUEパイロット情報のうちの1つ以上であることが分かる。UEは、第3の情報を受信するために使用される伝送リソース上で、基地局から送信された第2の情報を受信することができる。
【０１０７】
なお、第1の周波数リソースと第2の周波数リソースとは、周波数が異なるリソースである。図3に示すキャリアアグリゲーションシナリオを参照すると、第1の周波数リソースは第1のキャリアであり、第2の周波数リソースは第2のキャリアであり、第1のキャリアおよび第2のキャリアは異なる周波数のキャリアである。図4に示す複数のサブバンドを含むキャリアシナリオを参照すると、第1の周波数リソースは第3のキャリア上の第1のサブバンドリソースであり、第2の周波数リソースは第3のキャリア上の第2のサブバンドリソースであり、第1のサブバンドリソースおよび第2のサブバンドリソースは、周波数が異なるサブバンドリソースである。UEは、システム帯域幅上の第1のサブバンドリソースおよび第2のサブバンドリソースを決定するために、第3のキャリアのシステム帯域幅を知っていてもよい。UEは、第3のキャリアを知らなくてもよく（または第3のキャリアのシステム帯域幅を知らなくてもよく）、識別情報に従って第1のサブバンドリソースおよび第2のサブバンドリソースを決定してもよい。複数の第2のキャリアまたは第2のサブバンドリソースが存在してもよい。システムには少なくとも2つの異なるUEが存在し、2つのUEは、異なる第2の周波数リソースを用いてそれぞれの第2の情報を受信する。あるいは、少なくとも1つのUEが存在し、UEが第1の情報を受信するための第1の周波数リソースと、UEが第2の情報を受信するための第2の周波数リソースとは、周波数リソースが異なる。
【０１０８】
本実施形態で提供されるユーザ機器によれば、第1の伝送リソースと少なくとも1つの第2の伝送リソースとが決定され、第1の伝送リソースを用いて第1の情報が受信され、第2の伝送リソースを用いて第2の情報が受信される。第1の情報は、システム情報、またはシステム情報をスケジューリングするための制御情報のうちの少なくとも1つを含み、第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。このように、UEは、第2の情報の限られた容量を解決することに加えて、システム情報を繰り返し送信することを避けるために、異なる伝送リソースを用いて第1の情報および第2の情報を受信することにより、システムリソースを節約する。
【０１０９】
任意選択的に、図8に示す実施形態では、受信モジュール82は、第1の伝送リソースであり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送される、構成情報を受信するようにさらに構成され、および／または、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された、第1の伝送リソース情報を受信するようにさらに構成され、第1の伝送リソース情報は、第1の伝送リソースを示すために使用される。
【０１１０】
なお、初期ランダムアクセス応答およびRARメッセージは、異なるランダムアクセス応答メッセージである。初期ランダムアクセス応答は、RARメッセージの前に送信される別のランダムアクセス応答である。
【０１１１】
任意選択的に、図8に示す実施形態では、受信モジュール82は、第2の伝送リソースであり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送される、構成情報を受信するようにさらに構成され、および／または、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された、第2の伝送リソース情報を受信するようにさらに構成され、第2の伝送リソース情報は、第2の伝送リソースを示すために使用される。
【０１１２】
任意選択的に、図8に示す実施形態では、受信モジュール82は、基地局から送信されたリソース識別情報を受信するようにさらに構成される。リソース識別情報を用いて、第2の伝送リソースが第1の伝送リソースと同一であるか、または第2の伝送リソースが第2の伝送リソース情報に従って決定されることをUEに通知する。
【０１１３】
任意選択的に、図8に示す実施形態では、受信モジュール82は、具体的には、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて、基地局によって搬送されたリソース識別情報を受信するように構成される。
【０１１４】
任意選択的に、図8に示す実施形態では、UEが第1の伝送リソース情報を更新しない場合、ユーザ機器は、以前に決定された第1の伝送リソースを用いて第1の情報を伝送する。UEが第2の伝送リソース情報を更新しない場合、UEは、予め決定された第2の伝送リソースを用いて第2の情報を送信する。UEが第2の情報を受信する前に第2の伝送リソース情報またはリソース識別情報を取得しない場合、ユーザ機器は、第1の伝送リソース上で第2の情報を受信する。UEが第2の伝送リソース情報またはリソース識別情報を取得した後、UEは、第2の伝送リソース情報またはリソース識別情報によって示された伝送リソース上で第2の情報を受信する。
【０１１５】
図9は、本発明の一実施形態による情報送信方法の実施形態1のフローチャートである。図9に示すように、本実施形態の方法は以下のステップを含む。
【０１１６】
ステップ901：基地局は、第1の伝送リソースを決定する。
【０１１７】
ステップ902：基地局は、第1の伝送リソースを用いて第1の情報を送信し、第1の情報は、システム情報、またはシステム情報をスケジューリングするための制御情報のうちの少なくとも1つを含む。
【０１１８】
ステップ903：基地局は、少なくとも1つの第2の伝送リソースを決定する。
【０１１９】
ステップ904：基地局は、第2の伝送リソースを用いてUEに第2の情報を送信し、第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。
【０１２０】
なお、ステップ901およびステップ903は順番に実行されず、通常はステップ901およびステップ903が同時に実行される。ステップ902およびステップ904は、順番に実行されない。
【０１２１】
本実施形態における情報伝送方法は、図7に示す実施形態における基地局の処理を実施するために使用され、情報伝送方法の実施原理および技術的効果は、基地局の実施原理および技術的効果と同様であり、詳細はここでは説明しない。
【０１２２】
任意選択的に、図9に示す実施形態では、第1の伝送リソースは第1の周波数リソースを含み、第2の伝送リソースは第2の周波数リソースを含む。
【０１２３】
任意選択的に、図9に示す実施形態では、第1の周波数リソースおよび第2の周波数リソースは、周波数が異なる周波数リソースである。例えば、第1の周波数リソースは第1のキャリアであり、第2の周波数リソースは第2のキャリアであり、第1のキャリアおよび第2のキャリア周波数が異なるキャリアであるか、または、第1の周波数リソースは第3のキャリア上の第1のサブバンドリソースであり、第2の周波数リソースは第3のキャリア上の第2のサブバンドリソースであり、第1のサブバンドリソースおよび第2のサブバンドリソースは、周波数が異なるサブバンドリソースである。
【０１２４】
任意選択的に、図9に示す実施形態では、基地局が第1の伝送リソースを決定するステップは、基地局がシステムパラメータに従って第1の伝送リソースを決定するステップを含み、システムパラメータは、システム無線フレーム番号、サブフレーム番号、システム帯域幅、第1の伝送リソースの構成情報、周波数ホッピングパターン、システム情報の伝送周期、システム情報の伝送時間リソース情報、またはリソーススケジューリング粒度のうちの1つ以上を含むか、または、基地局は、予め設定された情報に従って第1の伝送リソースを決定するステップを含む。
【０１２５】
図10Aおよび図10Bは、本発明の一実施形態による情報伝送方法の実施形態2のフローチャートである。図10Aおよび図10Bに示すように、本実施形態の方法は、以下のステップを含む。
【０１２６】
ステップ1001：基地局は、第1の伝送リソースを決定する。
【０１２７】
ステップ1002：基地局は、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソースの構成情報を搬送し、第1の伝送リソースの構成情報をUEに送信し、および／または、基地局は、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第1の伝送リソース情報を搬送し、第1の伝送リソース情報をUEに送信し、第1の伝送リソース情報は、第1の伝送リソースを示すために使用される。
【０１２８】
ステップ1003：基地局は、第1の伝送リソースを用いて第1の情報を送信し、第1の情報は、システム情報、またはシステム情報をスケジューリングするための制御情報のうちの少なくとも1つを含む。
【０１２９】
ステップ1004：基地局は、少なくとも1つの第2の伝送リソースを決定する。
【０１３０】
ステップ1005：基地局は、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソースの構成情報を搬送し、第2の伝送リソースの構成情報をUEに送信し、および／または、基地局は、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソース情報を搬送し、第2の伝送リソース情報をUEに送信し、第2の伝送リソース情報は、第2の伝送リソースを示すために使用される。
【０１３１】
ステップ1006：基地局は、第2の伝送リソースを用いてUEに第2の情報を送信し、第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。
【０１３２】
任意選択的に、図9または図10Aおよび図10Bに示す実施形態では、基地局が少なくとも1つの第2の伝送リソースを決定するステップは、基地局が、予め設定された情報に従って少なくとも1つの第2の伝送リソースを決定するステップ、または、基地局が、システムパラメータ、第2の伝送リソースの構成情報、UE特定パラメータ、またはUEグループ特定パラメータのうちの1つ以上に従って、少なくとも1つの第2の伝送リソースを決定するステップ、または、基地局が、UEに伝送された第3の情報の伝送リソース情報に従って、少なくとも1つの第2の伝送リソースを決定するステップであって、第3の情報が、UEに伝送されたユニキャストデータ、ユニキャストデータをスケジューリングするために使用され、かつUEに伝送される制御情報、UEに伝送された応答フィードバック情報、またはUEに伝送されたUEパイロット情報のうちの1つ以上である、ステップを含む。
【０１３３】
任意選択的に、図9または図10Aおよび図10Bに示す実施形態では、基地局が、UEに伝送される第3の情報の伝送リソース情報に従って少なくとも1つの第2の伝送リソースを決定するステップは、基地局が、UEに第3の情報を伝送するための伝送リソース上でUEに第2の情報を伝送するステップをさらに含む。
【０１３４】
任意選択的に、図9または図10Aおよび図10Bに示す実施形態では、基地局は、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて第2の伝送リソース情報を搬送し、第2の伝送リソース情報をUEに送信する。
【０１３５】
任意選択的に、図9または図10Aおよび図10Bに示す実施形態では、方法は、基地局が、UEにリソース識別情報を送信するステップであって、リソース識別情報を用いて、第2の伝送リソースが第1の伝送リソースと同一であるか、または第2の伝送リソースが第2の周波数リソース情報に従って決定されることをUEに通知する、ステップをさらに含む。
【０１３６】
任意選択的に、図9または図10Aおよび図10Bに示す実施形態では、基地局がリソース識別情報をUEに送信するステップは、基地局が、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて、リソース識別情報を搬送し、リソース識別情報をUEに送信するステップを含む。
【０１３７】
図11は、本発明の一実施形態による情報伝送方法の実施形態3のフローチャートである。図11に示すように、本実施形態の方法は以下のステップを含む。
【０１３８】
ステップ1101：UEは、第1の伝送リソースを決定する。
【０１３９】
ステップ1102：UEは、第1の伝送リソースを用いて、基地局から送信された第1の情報を受信し、第1の情報は、システム情報、またはシステム情報をスケジューリングするための制御情報のうちの少なくとも1つを含む。
【０１４０】
ステップ1103：UEは、第2の伝送リソースを決定する。
【０１４１】
ステップ1104：UEは、基地局から送信された第2の情報を第2の伝送リソースを用いて受信し、第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。
【０１４２】
なお、ステップ1101およびステップ1103は順番に実行されず、通常はステップ1101およびステップ1103が同時に実行される。ステップ1102およびステップ1104は、順番に実行されない。
【０１４３】
本実施形態における情報伝送方法は、図8に示す実施形態におけるUEの処理を実施するために使用され、情報伝送方法の実施原理および技術的効果は、UEの実施原理および技術的効果と同様であり、詳細はここでは説明しない。
【０１４４】
任意選択的に、図11に示す実施形態では、第1の伝送リソースは第1の周波数リソースを含み、第2の伝送リソースは第2の周波数リソースを含む。
【０１４５】
任意選択的に、図11に示す実施形態では、第1の周波数リソースおよび第2の周波数リソースは、周波数が異なる周波数リソースである。例えば、第1の周波数リソースは第1のキャリアであり、第2の周波数リソースは第2のキャリアであり、第1のキャリアおよび第2のキャリア周波数が異なるキャリアであるか、または、第1の周波数リソースは第3のキャリア上の第1のサブバンドリソースであり、第2の周波数リソースは第3のキャリア上の第2のサブバンドリソースであり、第1のサブバンドリソースおよび第2のサブバンドリソースは、周波数が異なるサブバンドリソースである。
【０１４６】
任意選択的に、図11に示す実施形態では、UEが第1の伝送リソースを決定するステップは、UEが、システムパラメータに従って第1の伝送リソースを決定するステップを含み、システムパラメータは、システム無線フレーム番号、サブフレーム番号、システム帯域幅、第1の伝送リソースの構成情報、周波数ホッピングパターン、システム情報の伝送周期、システム情報の伝送時間リソース情報、またはリソーススケジューリング粒度のうちの1つ以上を含むか、または、UEが、予め設定された情報に従って第1の伝送リソースを決定するステップを含む。
【０１４７】
図12Aおよび図12Bは、本発明の一実施形態による情報伝送方法の実施形態4のフローチャートである。図12Aおよび図12Bに示すように、本実施形態の方法は、以下のステップを含む。
【０１４８】
ステップ1201：UEは、第1の伝送リソースであり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送される、構成情報を受信し、および／または、UEは、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された、第1の伝送リソース情報を受信し、第1の伝送リソース情報は、第1の伝送リソースを示すために使用される。
【０１４９】
ステップ1202：UEは、第1の伝送リソースを決定する。
【０１５０】
ステップ1203：UEは、基地局によって送信された第1の情報を第1の伝送リソースを用いて受信し、第1の情報は、システム情報、またはシステム情報をスケジューリングするための制御情報の少なくとも1つを含む。
【０１５１】
ステップ1204：UEは、第2の伝送リソースであり、かつ同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送される、構成情報を受信し、および／または、UEは、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された、第2の伝送リソース情報を受信し、第2の伝送リソース情報は、第2の伝送リソースを示すために使用される。
【０１５２】
ステップ1205：UEは、第2の伝送リソースを決定する。
【０１５３】
ステップ1206：UEは、基地局から送信された第2の情報を第2の伝送リソースを用いて受信し、第2の情報は、ページングメッセージ、ランダムアクセス応答メッセージ、競合解決メッセージ、ページングメッセージをスケジューリングするための制御情報、ランダムアクセス応答メッセージをスケジューリングするための制御情報、または競合解決メッセージをスケジューリングするための制御情報のうちの少なくとも1つを含む。
【０１５４】
任意選択的に、図11または図12Aおよび図12Bに示す実施形態では、UEが第2の伝送リソースを決定するステップは、予め設定された情報に従ってUEが第2の伝送リソースを決定するステップ、または、システムパラメータ、第2の伝送リソースの構成情報、UE特定パラメータ、またはUEグループ特定パラメータのうちの1つ以上に従ってUEが第2の伝送リソースを決定するステップ、または、UEに伝送された第3の情報の伝送リソース情報に従ってUEが第2の伝送リソースを決定するステップであって、第3の情報が、UEに伝送されたユニキャストデータ、ユニキャストデータをスケジューリングするために使用され、かつUEに伝送される制御情報、UEに伝送された応答フィードバック情報、またはUEに伝送されたUEパイロット情報のうちの1つ以上である、ステップを含む。
【０１５５】
任意選択的に、図11または図12Aおよび図12Bに示す実施形態では、UEに伝送された第3の情報の伝送リソース情報に従ってUEが第2の伝送リソースを決定するステップは、第3の情報をUEに伝送するための伝送リソース上でUEが第2の情報を受信することを決定するステップをさらに含む。
【０１５６】
任意選択的に、図11または図12Aおよび図12Bに示す実施形態では、UEは、同期チャネル、物理制御チャネル、ランダムアクセスチャネル、プリアンブル情報、物理ブロードキャストチャネル、マスタ情報ブロック、システム情報ブロック、無線リソース制御共通シグナリング、初期ランダムアクセス応答、無線リソース制御専用シグナリング、またはメディアアクセス制御シグナリングのうちの1つ以上を用いて基地局によって搬送された第2の伝送リソース情報を受信する。
【０１５７】
任意選択的に、図11または図12Aおよび図12Bに示す実施形態では、方法は、基地局から送信されたリソース識別情報をUEが受信するステップであって、リソース識別情報を用いて、第2の伝送リソースが第1の伝送リソースと同一であるか、または第2の伝送リソースが第2の周波数リソース情報に従って決定されることをUEに通知する、ステップをさらに含む。
【０１５８】
任意選択的に、図11または図12Aおよび図12Bに示す実施形態では、UEが基地局から送信されたリソース識別情報を受信するステップは、UEが、同期チャネル、物理ブロードキャストチャネル、物理制御チャネル、ランダムアクセスチャネル、プリアンブル情報、マスタ情報ブロック、システム情報ブロック、無線リソース制御共通シグナリング、ランダムアクセス応答、競合解決メッセージ、無線リソース制御専用シグナリング、またはメディアアクセス制御シグナリングのうちの1つ以上を用いて基地局によって搬送されるリソース識別情報を受信するステップを含む。
【０１５９】
図13は、本発明の一実施形態による情報伝送方法における情報伝送の概略図である。図13では、説明のための例として、複数のサブバンドを含むキャリアが用いられている。図13は、別個にサブバンドリソース131、サブバンドリソース132、およびサブバンドリソース133である、図示したキャリアの3つのサブバンドを示す。サブバンドリソース131は第1の伝送リソースとして用いられ、サブバンドリソース131、サブバンドリソース132、またはサブバンドリソース133のいずれか1つが第2の伝送リソースとして用いられてもよい。システムはUE1からUE6の別個の6つのUEを含むと仮定する。基地局は、サブバンドリソース131を用いてカバレージエリア内の全てのUEに第1の情報を送信し、UE1からUE6は、第1のサブバンドリソース131上で第1の情報を受信する。また、基地局は、サブバンドリソース131を用いてUE1およびUE2に第2の情報を送信し、UE1およびUE2は、サブバンドリソース131上で第2の情報を受信する。UE1およびUE2は、UEのグループである。基地局は、サブバンドリソース132を用いてUE3およびUE4に第2の情報を送信し、UE3およびUE4は、サブバンドリソース132上で第2の情報を受信する。UE3およびUE4は、UEのグループである。基地局は、サブバンドリソース133を用いてUE5およびUE6に第2の情報を送信し、UE5およびUE6は、サブバンドリソース133上で第2の情報を受信する。UE5およびUE6は、UEのグループである。
【０１６０】
図13から、第1の情報は、キャリア上の1つのサブバンドリソース131のみで送信されるが、第2の情報は、異なるサブバンドリソースを用いてUEの異なるグループに伝送されるため、第2の情報の伝送容量が改善され、第1の情報を伝送するために使用されるリソースが削減されることが分かる。
【０１６１】
なお、本発明の上記実施形態では、本発明の実施を説明するための一例において、第1の伝送リソースは第1の周波数リソースであり、第2の伝送リソースは第2の周波数リソースである。しかし、本発明が提供する情報伝達方法および装置は、これに限定されるものではない。あるいは、第1の伝送リソースおよび第2の伝送リソースは時間リソースであってもよく、例えば、第1の伝送リソースは第1の時間リソースを含み、第2の伝送リソースは第2の時間リソースを含む。第1の情報は第1の時間リソースを用いて伝送され、第2の情報は第2の時間リソースを用いて伝送される。第1の時間リソースと第2の時間リソースとは時間的に完全に直交しており、すなわち、第1の時間リソースと第2の時間リソースとは時間的に重複していない。
【０１６２】
同様に、本発明において提供される情報伝送方法および装置では、第1の伝送リソースおよび第2の伝送リソースは、時間−周波数リソース（時間および周波数）であってもよく、例えば、第1の伝送リソースは、第1の時間−周波数リソースを含み、第2の伝送リソースは、第2の時間−周波数リソースを含む。第1の情報は第1の時間−周波数リソースを用いて伝送され、第2の情報は第2の時間−周波数リソースを用いて伝送される。第1の時間−周波数リソースと第2の時間−周波数リソースとは、時間および周波数において完全に直交しており、すなわち、第1の時間−周波数リソースと第2の時間−周波数リソースとは、時間および周波数において重複しない。
【０１６３】
同様に、本発明において提供される情報伝送方法および装置では、第1の伝送リソースおよび第2の伝送リソースはコードワードリソースであり、例えば、第1の伝送リソースは第1のコードワードリソースを含み、第2の伝送リソース第2のコードワードリソースを含む。第1の情報は第1のコードワードリソースを用いて伝送され、第2の情報は第2のコードワードリソースを用いて伝送される。第1のコードワードリソースおよび第2のコードワードリソースは、コードワードにおいて完全に直交しており、すなわち、第1のコードワードリソースと第2のコードワードリソースは全く異なるコードワードセットである。
【０１６４】
本発明の実施形態によれば、第1の情報は共通の伝送リソース上で伝送されるため、第1の情報を伝送するために占有されるリソースオーバーヘッドは減少し、リソースの使用は改善され、基地局の電力消費は低減される。異なるUEのための第2の情報は、複数の伝送リソース上で伝送され得るため、第2の情報の伝送容量を増加させることができ、第2の情報の伝送遅延を減少させることができる。任意選択的に、UEに対して、ユニキャスト情報およびUEの第2の情報は1つの伝送リソース上で伝送されるため、UEによるユニキャストデータの受信と、UEによる第2の情報の受信との間の同調が回避され、UEの電力消費が低減され、UEの実施が単純化される。
【０１６５】
なお、本発明の本実施形態における送信モジュール72は、基地局の送信機に対応してもよく、または基地局の送受信機に対応してもよい。処理モジュール71は、基地局のプロセッサに対応してもよい。ここでのプロセッサは、中央処理装置（Central Processing Unit、CPU）、または特定用途向け集積回路（Application Specific Integrated Circuit、ASIC）、または本発明の本実施形態を実施する1つ以上の集積回路であってもよい。基地局はメモリをさらに含み、メモリは命令コードを記憶するように構成される。プロセッサは、メモリ内の命令コードを呼び出して、本発明の本実施形態における処理モジュール71および送信モジュール72が上記動作を実行するように制御する。
【０１６６】
本発明の本実施形態における受信モジュール82は、ユーザ機器の受信機に対応してもよく、またはユーザ機器の送受信機に対応してもよい。処理モジュール81は、ユーザ機器のプロセッサに対応してもよい。プロセッサは、CPU、ASIC、または本発明の本実施形態を実施する1つ以上の集積回路であってもよい。ユーザ機器はメモリをさらに含み、メモリは命令コードを記憶するように構成される。プロセッサは、メモリ内の命令コードを呼び出して、本発明の本実施形態における受信モジュール82および処理モジュール81が上記動作を実行するように制御する。
【０１６７】
当業者であれば、方法の実施形態のステップの全てまたは一部が、関連するハードウェアに命令するプログラムによって実施されてもよいことを理解することができる。プログラムは、コンピュータ可読記憶媒体に格納されてもよい。プログラムが実行されると、方法の実施形態のステップが実行される。上記記憶媒体には、ROM、RAM、磁気ディスクまたは光ディスクのような、プログラムコードを格納可能な任意の媒体が含まれる。
【０１６８】
最後に、上記実施形態は、本発明の技術的解決方法を説明するためのものに過ぎず、本発明を限定するものではないことに留意すべきである。本発明は、上記実施形態を参照して詳細に説明されているが、当業者であれば、本発明の実施形態の技術的解決方法の範囲から逸脱することなく、上記実施形態で説明された技術的解決方法をさらに改変したり、その一部または全部の技術的特徴を等価のものと置き換えたりすることができることを理解されたい。したがって、本発明の保護範囲は、特許請求の範囲の保護範囲に属するものとする。
【符号の説明】
【０１６９】
61  基地局
62，63，64，65，66，67  ユーザ機器（UE）
71  処理モジュール
72  送信モジュール
81  処理モジュール
82  受信モジュール
【図１】
2019186957.tif 000003
【図２】
2019186957.tif 000004
【図３】
2019186957.tif 000005
【図４】
2019186957.tif 000006
【図５】
2019186957.tif 000007
【図６】
2019186957.tif 000008
【図７】
2019186957.tif 000009
【図８】
2019186957.tif 000010
【図９】
2019186957.tif 000011
【図１０Ａ】
2019186957.tif 000012
【図１０Ｂ】
2019186957.tif 000013
【図１１】
2019186957.tif 000014
【図１２Ａ】
2019186957.tif 000015
【図１２Ｂ】
2019186957.tif 000016
【図１３】
2019186957.tif 000017
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
通信装置であって、
基地局から応答フィードバック情報を受信するように構成された受信機であって、前記受信機は、前記基地局からメディアアクセス制御シグナリングを受信するようにさらに構成され、前記メディアアクセス制御シグナリングは、伝送リソース情報を含む、受信機と、
前記受信機に結合され、前記応答フィードバック情報の伝送リソースおよび前記伝送リソース情報に従って、競合解決メッセージをスケジューリングするための制御情報のための周波数伝送リソースを決定するように構成されたプロセッサと、
を含み、前記受信機は、前記周波数伝送リソースを通して前記基地局から前記競合解決メッセージをスケジューリングするための制御情報を受信するようにさらに構成された、通信装置。
【請求項２】
前記受信機は、前記周波数伝送リソースを通して前記応答フィードバック情報を受信するようにさらに構成された、請求項1に記載の装置。
【請求項３】
前記応答フィードバック情報は、ランダムアクセス応答を含む、請求項1または2に記載の装置。
【請求項４】
制御情報を受信するための方法であって、
基地局から応答フィードバック情報を受信するステップと、
前記基地局からメディアアクセス制御シグナリングを受信するステップであって、前記メディアアクセス制御シグナリングは、伝送リソース情報を含む、ステップと、
前記応答フィードバック情報の伝送リソースおよび前記伝送リソース情報に従って、競合解決メッセージをスケジューリングするための制御情報のための周波数伝送リソースを決定するステップと、
前記周波数伝送リソースを通して前記基地局から前記競合解決メッセージをスケジューリングするための制御情報を受信するステップと、
を含む方法。
【請求項５】
前記周波数伝送リソースを通して前記応答フィードバック情報を受信するステップを含む、請求項4に記載の方法。
【請求項６】
前記応答フィードバック情報は、ランダムアクセス応答を含む、請求項4または5に記載の方法。
【請求項７】
基地局であって、
ユーザ機器（UE）に応答フィードバック情報を送信するように構成された送信機であって、前記送信機は、前記UEにメディアアクセス制御シグナリングを送信するようにさらに構成され、前記メディアアクセス制御シグナリングは、伝送リソース情報を含み、前記伝送リソース情報および前記応答フィードバック情報のための伝送リソースは、競合解決メッセージをスケジューリングするための制御情報のための周波数伝送リソースを示す、送信機と、
前記送信機に結合され、前記競合解決メッセージをスケジューリングするための制御情報のための周波数伝送リソースを決定するように構成されたプロセッサと、
を含み、前記送信機は、前記周波数伝送リソースを通して前記UEに前記競合解決メッセージをスケジューリングするための制御情報を送信するようにさらに構成された、基地局。
【請求項８】
前記送信機は、前記周波数伝送リソースを通して前記応答フィードバック情報を送信するように構成された、請求項7に記載の基地局。
【請求項９】
前記応答フィードバック情報は、ランダムアクセス応答を含む、請求項7または8に記載の基地局。
【請求項１０】
制御情報を伝送するための方法であって、
ユーザ機器（UE）に応答フィードバック情報を送信するステップと、
前記UEにメディアアクセス制御シグナリングを送信するステップであって、前記メディアアクセス制御シグナリングは、伝送リソース情報を含み、前記伝送リソース情報および前記応答フィードバック情報のための伝送リソースは、競合解決メッセージをスケジューリングするための制御情報のための周波数伝送リソースを示す、ステップと、
前記競合解決メッセージをスケジューリングするための制御情報のための周波数伝送リソースを決定するステップと、
前記周波数伝送リソースを通して前記UEに前記競合解決メッセージをスケジューリングするための制御情報を送信するステップと、
を含む方法。
【請求項１１】
前記周波数伝送リソースを通して前記応答フィードバック情報を送信するステップを含む、請求項10に記載の方法。
【請求項１２】
前記応答フィードバック情報は、ランダムアクセス応答を含む、請求項10または11に記載の方法。
【請求項１３】
請求項4から6のいずれか一項に記載の方法をコンピュータに実行させるプログラム。
【請求項１４】
請求項10から12のいずれか一項に記載の方法をコンピュータに実行させるプログラム。
【外国語明細書】
2019186957000001.pdf